(57)【特許請求の範囲】
【請求項１】
少なくとも１つの水平方向トラックを定義する複合型サーボ及びデータ情報を記録媒体上に記録するためのセンス可能な遷移パターンであって、非平行なセンス可能な遷移の少なくとも２つの繰り返し遷移対のバースト・パターンを含み、前記遷移対の各々の少なくとも１つの遷移が、前記トラックを横断して連続的に水平方向に変化し、前記非平行な遷移がサーボ情報を含み、前記繰り返し遷移対の少なくとも２つの前記遷移が、該繰り返し遷移対の他の前記遷移に対して水平方向にシフトされ、シフトされた前記遷移がデータ情報を含む、遷移パターン。
【請求項２】
磁束遷移パターン内に記録され、少なくとも１つの水平方向サーボ・トラックを定義する事前記録複合型サーボ及びデータ情報を有する磁気テープ媒体であって、非平行な磁束遷移の少なくとも２つの繰り返し遷移対のバースト・パターンを含み、前記遷移対の各々の少なくとも１つの遷移が、前記トラックの幅を横断して連続的に水平方向に変化し、前記非平行な遷移対が前記水平方向のトラックを定義するトラック追従サーボ情報を含み、前記繰り返し遷移対の少なくとも２つの前記遷移が、該繰り返し遷移対の他の前記遷移に対して水平方向にシフトされ、シフトされた前記遷移がデータ情報を含む、磁気テープ媒体。
【請求項３】
磁束遷移パターン内に記録され、複数の平行な水平方向サーボ・トラックを定義する事前記録複合型サーボ及びデータ情報を有する磁気テープ媒体であって、複数の平行なバースト・パターンを含み、前記バースト・パターンの各セットが１つ以上の前記平行な水平方向サーボ・トラックを表し、非平行な磁束遷移の少なくとも２つの繰り返し遷移対を有し、前記遷移対の各々の少なくとも１つの遷移が、前記トラックの幅を横断して連続的に水平方向に変化し、前記非平行な遷移が前記平行な水平方向のトラックを定義するトラック追従サーボ情報を含み、前記複数の平行なバースト・パターンの各々内の前記繰り返し遷移対の少なくとも２つの前記遷移が、前記バースト・パターン内の前記繰り返し遷移対の他の前記遷移に対して、水平方向にシフトされ、シフトされた前記遷移がデータ情報を含む、磁気テープ媒体。
【請求項４】
移動記憶媒体上のサーボ・パターン内に重畳されたデータを読出すデータ・システムであって、前記サーボ・パターンが、前記移動記憶媒体に関し垂直方向に延びる非平行なセンス可能なサーボ遷移対のバーストを有し、前記重畳データが、前記移動記憶媒体に対して水平方向にシフトされる選択された前記遷移を含むものにおいて、
前記移動記憶媒体に関し、前記水平方向に沿う前記センス可能なサーボ遷移をセンスするサーボ・トランスジューサと、
センスされた前記サーボ遷移に応答して、非平行なセンス可能な前記遷移の位置のシフトを検出する検出器と、
検出された前記位置シフトに応答して、前記重畳データを復号する復号器と
を含む、データ・システム。
【請求項５】
移動磁気記憶媒体上のサーボ・パターンから前記移動磁気記憶媒体上の水平方向の位置を決定するアドレス指定システムであって、前記サーボ・パターンが、前記移動磁気記憶媒体に関し垂直方向に延びる非平行な磁束サーボ遷移対のバーストを有し、２つの前記遷移の選択グループが前記移動磁気記憶媒体に対して水平方向にシフトされ、前記アドレス情報を符号化するものにおいて、
前記移動磁気記憶媒体に関し、前記水平方向に沿う前記磁束サーボ遷移をセンスし、前記磁束サーボ遷移を表す信号を提供するサーボ・トランスジューサと、
センスされた前記サーボ遷移信号に応答して、前記非平行な磁束遷移の前記グループの位置のシフトを検出する検出器と、
検出された前記位置シフトに応答して、前記位置シフト内に符号化された前記アドレス情報を復号する復号器と
を含む、アドレス指定システム。
【請求項６】
移動磁気記憶媒体上の複数の平行な水平方向サーボ・パターンの１つから、前記移動磁気記憶媒体上の水平方向の位置を決定するアドレス指定システムであって、前記サーボ・パターンが、前記移動磁気記憶媒体に関し垂直方向に延びる非平行な磁束サーボ遷移対のバーストを有し、２つの前記遷移の選択グループが前記移動磁気記憶媒体に対して水平方向にシフトされ、水平方向のサーボ・パターンの１つが前記アドレス情報を符号化するものにおいて、
前記移動磁気記憶媒体に関し、前記水平方向に沿う平行な前記水平方向サーボ・パターンの各々の前記磁束サーボ遷移をセンスし、前記磁束サーボ遷移を表す信号を提供するサーボ・トランスジューサと、
前記トランスジューサの１つのセンスされた前記サーボ遷移信号に応答して、前記非平行な磁束遷移の位置のシフトを検出する複数の検出器と、
検出された前記位置シフトに応答して、２つの前記遷移の前記グループの前記位置シフト内に符号化された前記アドレス情報を復号する復号器と
を含む、アドレス指定システム。
【請求項７】
磁気テープ媒体用のタイミング・ベースのサーボ・システムにおいて、前記磁気テープ媒体上のタイミング・ベースのサーボ・パターンから、前記磁気テープ媒体上の水平方向の位置を決定するアドレス指定システムであって、前記タイミング・ベースのサーボ・パターンが、前記磁気テープ媒体に関し垂直方向に延びる非平行な磁束サーボ遷移対のバーストを有し、２つの前記遷移の選択グループが前記磁気テープ媒体に対して水平方向にシフトされて、前記アドレス情報を符号化し、前記タイミング・ベースのサーボ・システムが、前記磁気テープ媒体に関し前記水平方向に沿う前記磁束サーボ遷移をセンスするサーボ・トランスジューサを有するものにおいて、
センスされた前記サーボ遷移に応答して、前記非平行な磁束遷移の位置のシフトを検出する検出器と、
検出された前記位置シフトに応答して、前記位置シフト内に符号化された前記アドレス情報を復号する復号器と
を含む、アドレス指定システム。
【請求項８】
磁気テープ媒体上のサーボ・パターンから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ遷移対のバーストを有し、２つの前記遷移の選択グループが前記磁気テープ媒体に対して水平方向にシフトされて、前記アドレス情報を符号化するものにおいて、
前記磁気テープ媒体上のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し前記水平方向に沿う前記磁束サーボ遷移をセンスし、前記磁束サーボ遷移を表す信号を提供するサーボ・トランスジューサと、
センスされた前記サーボ遷移信号に応答して、前記磁束サーボ遷移間のタイミング・ベースのスペーシングを検出し、２つの非平行な磁束遷移の前記グループの位置シフトを識別する検出器と、
検出された前記位置シフトに応答して、前記位置シフト内に符号化された前記アドレス情報を復号する復号器と
を含む、磁気テープ・ドライブ。
【請求項９】
磁気テープ媒体上の複数の平行な水平方向サーボ・パターンの１つから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ遷移対のバーストを有し、前記遷移の選択グループが前記磁気テープ媒体に対して水平方向にシフトされて、前記アドレス情報を符号化するものにおいて、
前記磁気テープ媒体上の平行な水平方向のトラック内のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し、水平方向に沿う前記複数の平行な水平方向サーボ・パターンの１つ内の前記磁束サーボ遷移をセンスし、前記磁束サーボ遷移を表す信号を提供する複数のサーボ・トランスジューサと、
前記サーボ・トランスジューサの少なくとも１つによりセンスされた前記サーボ遷移信号に応答して、前記磁束サーボ遷移間のタイミング・ベースのスペーシングを検出し、前記符号化アドレス情報を表す非平行な磁束遷移の前記グループの位置シフトを識別する検出器と、
検出された前記位置シフトに応答して、前記位置シフト内に符号化された前記アドレス情報を復号する復号器と
を含む、磁気テープ・ドライブ。
【請求項１０】
磁束遷移パターン内に記録され、少なくとも１つの水平方向サーボ・トラックを定義する事前記録サーボ情報を書込む磁気テープ・サーボ書込み装置において、前記サーボ書込み装置が、少なくとも１つの書込み素子が前記トラックの幅を横断して連続的に水平方向に変化し、非平行なギャップを有する２つの間隔をあけた書込み素子と、磁気テープを前記書込み素子を横断して水平方向に所定の速度で移動するドライブと、間隔をあけた前記書込み素子に、前記非平行なギャップに対応するパターンを書込むように指示する刻時パルス源とを有し、前記パターンが、前記水平方向サーボ・トラックを定義するトラック追従サーボ情報を含む対に編成されるものにおいて、前記磁束遷移パターン上にデータを重畳するデータ書込み装置が、
データを所定の時間シフトに符号化する符号器と、
前記符号器に応答して、前記刻時パルス源のタイミングをシフトすることにより、２つの非平行な磁束遷移の少なくとも１つのグループのパターンを、別の前記対に対して水平方向にシフトし、シフトされた前記対にデータ情報を含ませるパルス・タイマと
を含む、データ書込み装置。
【請求項１１】
磁束遷移パターン内に記録され、少なくとも１つの水平方向サーボ・トラックを定義する、データが重畳される事前記録サーボ情報を書込む磁気テープ・サーボ及びデータ書込み装置であって、
少なくとも１つの書込み素子が前記トラックの幅を横断して連続的に水平方向に変化し、非平行なギャップを有する２つの間隔をあけた書込み素子と、
磁気テープを前記書込み素子を横断して水平方向に所定の速度で移動するドライブと、
データを所定の時間シフトに符号化する符号器と、
間隔をあけた前記書込み素子に、前記非平行なギャップに対応するパターンを書込むように指示する刻時パルス源であって、前記パターンが、前記水平方向サーボ・トラックを定義するトラック追従サーボ情報を含む対に編成される、刻時パルス源と、
前記符号器に応答して、前記刻時パルス源のタイミングをシフトすることにより、２つの非平行な磁束遷移の少なくとも１つのグループのパターンを、他の前記遷移に対して水平方向にシフトし、シフトされた前記遷移グループにデータ情報を含ませるパルス・タイマと
を含む、磁気テープ・サーボ及びデータ書込み装置。
【請求項１２】
記憶媒体上の非平行なサーボ遷移対内にデータ情報を重畳する方法であって、少なくとも１つの書込み素子が前記記憶媒体を横断して連続的に水平方向に変化し、非平行なギャップを有する２つの間隔をあけた書込み素子と、前記記憶媒体を前記書込み素子を横断して水平方向に所定の速度で移動するドライブとを使用するものにおいて、
データ情報を所定の時間シフトに符号化するステップと、
間隔をあけた前記書込み素子に刻時パルスを提供し、前記非平行なギャップに対応するサーボ遷移対のパターンを同時に書込むステップと、
前記所定の時間シフトに従い、前記刻時パルスのタイミングをシフトすることにより、２つの非平行な磁束遷移の少なくとも１つのグループを、他の前記遷移に対して水平方向にシフトし、シフトされた前記遷移にデータ情報を含ませるステップと
を含む、方法。
【請求項１３】
移動記憶媒体上のサーボ・パターン内に重畳されたデータを読出す方法であって、前記サーボ・パターンが、前記移動記憶媒体に関し垂直方向に延びる非平行なセンス可能なサーボ遷移対のバーストを有し、前記重畳データが、前記移動記憶媒体に対して水平方向にシフトされる２つの前記遷移の選択グループを含むものにおいて、
前記移動記憶媒体に関し、前記水平方向に沿う前記センス可能なサーボ遷移をセンスするステップと、
センスされた前記サーボ遷移に応答して、２つの非平行なセンス可能な遷移の前記グループの位置のシフトを検出するステップと、
検出された前記位置シフトに応答して、前記重畳データを復号するステップと
を含む、方法。
【請求項１４】
少なくとも１つの水平方向トラックを定義する複合型サーボ及びデータ情報を記録媒体上に記録するためのセンス可能な遷移パターンであって、非平行なセンス可能な２重遷移の少なくとも２つの繰り返し遷移対のバースト・パターンを含み、前記２重遷移の少なくとも１つが、前記トラックを横断して連続的に水平方向に変化し、前記非平行な２重遷移がサーボ情報を含み、前記センス可能な２重遷移の少なくとも１つが、他の前記センス可能な遷移と異なる幅を有し、前記異なる幅の２重遷移がデータ情報を含む、遷移パターン。
【請求項１５】
磁束遷移パターン内に記録され、少なくとも１つの水平方向サーボ・トラックを定義する事前記録複合型サーボ及びデータ情報を有する磁気テープ媒体であって、非平行な磁束２重遷移の少なくとも２つの繰り返し遷移対のバースト・パターンを含み、前記２重遷移の少なくとも１つが、前記トラックの幅を横断して連続的に水平方向に変化し、前記非平行な２重遷移対が前記水平方向のトラックを定義するトラック追従サーボ情報を含み、前記繰り返し２重遷移対の少なくとも１つが、他の前記２重遷移と異なる幅を有し、前記異なる幅の遷移がデータ情報を含む、磁気テープ媒体。
【請求項１６】
移動記憶媒体上のサーボ・パターン内に重畳されたデータを読出すデータ・システムであって、前記サーボ・パターンが、前記移動記憶媒体に関し垂直方向に延びる非平行なセンス可能なサーボ２重遷移対のバーストを有し、前記重畳データが、他の前記２重遷移と異なる幅を有する選択された前記２重遷移を含むものにおいて、
前記移動記憶媒体に関し、前記水平方向に沿う前記センス可能なサーボ２重遷移をセンスするサーボ・トランスジューサと、
センスされた前記サーボ２重遷移に応答して、非平行なセンス可能な前記２重遷移の前記異なる幅を検出するデータ検出器と、
検出された前記異なる幅の遷移に応答して、前記重畳データを復号する復号器と
を含む、データ・システム。
【請求項１７】
磁気テープ媒体上のサーボ・パターンから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ２重遷移対のバーストを有し、選択された前記２重遷移が他の前記２重遷移と異なる幅を有し、前記アドレス情報を符号化するものにおいて、
前記磁気テープ媒体上のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し前記水平方向に沿う前記磁束サーボ２重遷移をセンスし、前記磁束サーボ２重遷移を表す信号を提供するサーボ・トランスジューサと、
センスされた前記サーボ２重遷移信号に応答して、前記磁束サーボ２重遷移の幅を検出し、非平行な前記磁束２重遷移の前記異なる幅を識別するデータ検出器と、
検出された前記異なる幅の遷移に応答して、前記位置シフト内に符号化された前記アドレス情報を復号する復号器と
を含む、磁気テープ・ドライブ。
【請求項１８】
記憶媒体上の非平行なサーボ２重遷移対内にデータ情報を重畳する方法であって、少なくとも１つの書込み素子が前記記憶媒体を横断して連続的に水平方向に変化し、非平行なギャップを有する２つの間隔をあけた書込み素子と、前記記憶媒体を前記書込み素子を横断して水平方向に所定の速度で移動するドライブとを使用するものにおいて、
データ情報を所定の時間遅延に符号化するステップと、
間隔をあけた前記書込み素子に刻時パルスを提供し、前記非平行なギャップに対応するサーボ２重遷移対のパターンを書込むステップと、
前記符号化に従い、前記時間遅延を選択された前記刻時パルスに追加することにより、非平行な前記サーボ２重遷移の少なくとも１つの幅を、他の前記２重遷移とは異なる幅に変更し、異なる幅の前記遷移にデータ情報を含ませるステップと
を含む、方法。
【請求項１９】
移動記憶媒体上のサーボ・パターン内に重畳されたデータを読出す方法であって、前記サーボ・パターンが、前記移動記憶媒体に関し垂直方向に延びる非平行なセンス可能なサーボ２重遷移対のバーストを有し、前記重畳データが、他の前記２重遷移とは異なる幅を有する前記２重遷移の選択対を含むものにおいて、
前記移動記憶媒体に関し、前記水平方向に沿う前記センス可能なサーボ２重遷移をセンスするステップと、
センスされた前記サーボ遷移に応答して、前記異なる幅を有する非平行なセンス可能な前記２重遷移を検出するステップと、
検出された前記異なる２重遷移の幅に応答して、前記重畳データを復号するステップと
を含む、方法。
【発明の詳細な説明】
【０００１】
【発明の属する技術分野】
本発明は、水平方向の記録のためのタイミング・ベースのサーボに関し、特に、データまたはアドレス指定情報をタイミング・ベースのサーボ情報に重畳すること、及び重畳されたデータまたはアドレス指定情報を読出すドライブに関する。
【０００２】
【関連技術】
Alberechtらによる米国特許出願第２７０２０７号（１９９４年６月３０日出願）（以下、関連特許出願１として参照）が、磁気テープ・システムのためのタイミング・ベースのサーボ・システムを示すために本願に組み込まれる。
【０００３】
【従来の技術】
磁気テープ装置が容量を最大化するために使用する１つの方法は、テープ上の平行なトラックの数を最大化することである。トラックの数を最大化する典型的な方法は、トラック追従を提供し、トラックが非常に接近して配置されることを可能にするサーボ・システムを使用することである。いわゆる"ロー・エンド"・テープ装置でさえ、現在ではトラックの数を最大化するためにトラック追従を使用している。
【０００４】
トラック追従サーボ作用の例は、水平方向のデータ・トラックのグループ間に横たわる、予め記録された平行な水平方向のサーボ・トラックのグループを提供することである。それにより、１つ以上のサーボ・ヘッドがサーボ情報を読出すことができ、付随するトラック追従サーボがサーボ・ヘッドが対応するサーボ・トラック上の中央に維持されるように、ヘッドまたはテープの垂直方向の位置を調整する。サーボ・ヘッドは所定の距離だけデータ・ヘッドから間隔を開けられ、サーボ・ヘッドのセンタリングにより、データ・ヘッドがデータ・トラック上でセンタリングされる。所定の距離は、特定のファミリ内の全てのテープ・ドライブに対して維持され、同一のまたは互換のファミリ内のテープ・ドライブ間で、テープ媒体の交換を可能にする。
【０００５】
特にテープに適応化されるトラック追従サーボ・システムの例に、前記関連特許出願１で述べられる例が含まれる。サーボ・パターンが、非平行な角度で連続的な長さで記録される磁束遷移から構成され、ヘッドがサーボ・パターンの幅を横断して移動されるとき、サーボ・パターン上の任意のポイントにおいて読出されるサーボ遷移のタイミングが連続的に変化する。例えば、サーボ・パターンが、傾斜したまたは偏った遷移と交互に、トラックの長さ方向に実質的に垂直な真っすぐな遷移を含み、各々が１対の遷移を構成する。従って、サーボ読取りヘッドにより読出される遷移の相対タイミングが、ヘッドの垂直方向の位置に応じて直線的に変化する。インタレース式遷移対のグループを使用し、２つのタイミング間隔の比、すなわち２つの類似の遷移間のインタバルと、２つの異なる遷移間のインタバルとの比を決定することにより、スピードの不変性が提供される。サーボ・パターンと復号器との同期が、各々が異なる数の遷移対を有する２つの別々の遷移対のグループを有することにより達成される。従って、グループのセット内の位置が現グループ内の遷移対の数を知ることにより、容易に決定される。
【０００６】
テープの幅に関するヘッドの垂直方向の位置の決定は、こうしたサーボ・システムにより容易に達成され得るが、テープの水平方向の位置を決定する良い手段が存在しない。テープの水平方向の位置の粗い推定値は、アイドル・ガイド・ホイール若しくはモータ、またはリールの回転数をカウントすることに獲得され得る。これは例えば、ホイール上の指標マークを有することなどによる。データ・レコードに対するより正確な水平方向の位置情報は、データ・レコードそれ自身の検出にもとづくが、これらのアプローチには多くの問題が存在する。１つは、巻き戻しされることなく排出されるテープ・カートリッジであり、指標マークのカウントが無意味となる。別の問題は、レコードをその位置の指標テーブルにもとづき、正しいレコード番号が見い出されるまでレコードを連続的に読出すことにより突き止めることである。これはレコードの１つが損傷している場合、或いは書込みスキップが許可される場合、大きな問題となる。書込みスキップでは、あるレコードの最初のコピーが不良の場合、そのレコードの複数のコピーが許可されたり、レコードのサブセットが許可される。レコードのどのコピーが読出されているかに関する不確実性により、エラー回復プロシージャは複雑化する。
【０００７】
別の例は、モータまたはリールの１回転当たり非常に多数の、通常、数百の位置を提供する微細線タコメータを使用する。しかしながら、微細線タコメータはドライブの価格を押し上げ、ロー・エンドのテープ・ドライブでは使用することができない。タコメータはまた、かなりな空間を占有し、リール・モータ・スピンドルの高さを増加し、背の低いフォーム・ファクタ（形状係数）の達成をより困難にし、廉価な既製のモータの使用を阻止する。
【０００８】
【発明が解決しようとする課題】
本発明の目的は、事前記録トラック追従サーボ情報上にアドレス指定データ情報が重畳された磁気テープ媒体を提供することである。
【０００９】
【課題を解決するための手段】
予め記録済みのトラック追従サーボ情報上に、データ情報が重畳される磁気テープ媒体が開示され、データ情報が水平方向のアドレス指定情報またはタコメータ情報を含み得る。少なくとも１つの水平方向サーボ・トラックを定義するサーボ情報が磁束遷移パターン内に記録される。少なくとも２つの繰り返し非平行磁束遷移対のサーボ・バースト・パターンが提供され、各遷移対の少なくとも１つの遷移が傾斜されるか、そうでなければサーボ・トラックの幅を横断して、連続的に水平方向に変化する。繰り返し遷移対の少なくとも２つの遷移が、その繰り返し遷移対の他の遷移に対して水平方向にシフトされ、シフトされた遷移が重畳されるアドレス指定データ情報を含む。再度、非平行サーボ遷移対は、対の遷移に対して、例えば傾斜される少なくとも１つの遷移を含む。
【００１０】
本発明の別の態様は、記録媒体上に複合型サーボ及びデータ情報を記録するセンス可能な遷移パターンであり、繰り返し非平行サーボ遷移対の少なくともの２つの遷移が、繰り返し遷移対の他の遷移に対して水平方向にシフトされ、シフトされた遷移がデータ情報を含む。
【００１１】
更に本発明の別の態様は、移動記憶媒体上のサーボ・パターン内に重畳されたデータを読出すデータ・システムであり、移動記憶媒体に関し水平方向のサーボ遷移をセンスするサーボ・トランスジューサ、センサされたサーボ遷移に応答して、非平行なサーボ遷移の位置シフトを検出する検出器、及び検出された位置シフトに応答して、重畳されたデータを復号する復号器を有する。本発明の別の態様では、データ・システムが磁気テープ・ドライブの一部としても提供され得る。
【００１２】
更に本発明の別の態様は、重畳データを有する非平行磁束遷移対を含む予め記録済みのサーボ情報を書込む磁気テープ・サーボ書込み装置であり、データを所定時間シフトに符号化する符号器、及び符号器に応答して、刻時パルス源のタイミングをシフトするパルス・タイマを有し、それにより遷移対の少なくとも２つの非平行磁束遷移を遷移対の他の遷移に対して水平方向にシフトする。シフトされた遷移はデータ情報を含む。
【００１３】
更に本発明の別の態様は、データ情報を非平行サーボ遷移に重畳する方法、及び重畳されたデータ情報を非平行サーボ遷移から復号する方法である。
【００１４】
更に本発明の別の態様は、別々の平行なサーボ・トラック上への異なるタイプのデータの重畳であり、データ・タイプの１つはアドレス情報を含む。
【００１５】
最後に、更に本発明の別の態様は、繰り返し磁束２重遷移対として記録される事前記録複合型サーボ及びデータ情報を有する磁気テープ媒体に関する。サーボ情報は２重遷移の一方だけを含み、２重遷移の少なくとも一方は、繰り返し遷移対の他の遷移に対して異なる幅を有する。異なる幅の遷移はデータ情報を含む。
【００１６】
【発明の実施の形態】
図１及び図２を参照すると、本発明の実施例に従いサーボ・パターンを読出し、サーボ・パターン内に重畳されたデータを読出すタイミング・ベースのサーボ・システム１０が示される。図１を参照すると、サーボ・システム１０はテープ・ドライブ１２を含み、これはテープ・データ・カートリッジ１４を受け取り、ケーブル１８によりホスト・プロセッサ１６に接続される。テープ・カートリッジ１４は、ある長さの磁気テープ２０を含むハウジング１９を含む。テープ・ドライブ１２は、テープ・カートリッジ１４が挿入される受取りスロット２２を含む。ホスト・プロセッサ１６は、例えばＩＢＭ"アプティバ"などの任意の好適なプロセッサを含んだり、ＩＢＭ"ＲＳ６０００"などのワークステーションであったり、またはＩＢＭ"ＡＳ４００"などのシステム・コンピュータであったりする。テープ・ドライブ１２は好適には、関連付けられるホスト・プロセッサと互換であり、様々なカートリッジまたはカセット・リニア・フォーマットの１つを想定し得る。こうしたテープ・ドライブの例には、ＩＢＭ"３４９０"テープ・ドライブ・ユニット、或いは"デジタル・リニア・テープ"または"Travan"互換テープ・ドライブが含まれる。
【００１７】
図２を参照すると、こうしたテープ・ドライブは通常、テープ・カートリッジ１４のリールを回転し、磁気テープ２０をヘッド・アセンブリ２４を横断して移動する駆動モータ（図示せず）を含む。ヘッド・アセンブリは実線で示され、比較的狭いサーボ読取りヘッド２６を含む。サーボ読取りヘッドは、磁気テープのサーボ・トラック２７内に記録されたサーボ・パターンを検出する。ヘッド・アセンブリのデータ・ヘッド２８は、通常、サーボ・ヘッドよりも大きく、複数のデータ・トラックを含む磁気テープのデータ・トラック領域２９上に位置決めされ、データ・トラックに記録されたデータを読出したり、データをデータ・トラックに書込んだりする。図２は、説明の簡略化の都合上、単一のサーボ読取りヘッド及び単一のデータ・ヘッドを示す。当業者には、ほとんどのテープ・システムが複数の平行なサーボ・トラック、複数のサーボ読取りヘッド、及び複数のデータ読取り及び書込みヘッドを有することが理解されよう。
【００１８】
サーボ・トラック中心線３０は、磁気テープ２０の長さに沿って延びるように示される。サーボ読取りヘッド２６は比較的狭く、サーボ・トラック２７の幅よりもかなり小さな幅を有する。前記関連特許出願１によれば、磁気テープがテープ・ヘッド・アセンブリ２４を横切り水平方向に移動され、従ってサーボ・トラック２７がサーボ・ヘッド２６に対して直線的に移動される。こうした移動が発生するとき、磁束遷移のサーボ・パターンがサーボ読取りヘッド２６により検出され、サーボ読取りヘッド２６はアナログ・サーボ読取り信号を生成し、これがサーボ信号線３４を介して、信号復号器３６に提供される。信号復号器３６はサーボ読取りヘッド信号を処理して位置信号を生成し、これが位置信号線３８を介して、サーボ制御装置４０に伝達される。サーボ制御装置４０はサーボ制御信号を生成し、それを制御線４２を介してヘッド・アセンブリ２４のサーボ位置決め機構に提供する。サーボ位置決め機構は、サーボ制御装置からの制御信号に応答して、サーボ読取りヘッド２６を含むヘッド・アセンブリをサーボ・トラック中心線３０に対して垂直方向に、所望のサーボ・トラックに達するまで、或いはサーボ読取りヘッド２６をサーボ・トラック中心線３０に対して中央に維持するように移動する。
【００１９】
図３は、前記関連特許出願１に従う一般的なサーボ・パターンを示す。当業者には、垂直線がサーボ・トラックの幅を横断して延びる磁束遷移のストライプ、または磁束の領域を表すことが理解されよう。磁束の領域の場合、エッジはサーボ読取りヘッド信号を生成するために検出される磁束遷移を含む。遷移は２つの磁気極性を有し、それぞれはストライプの各エッジ上に現れる。サーボ読取りヘッド２６が遷移を横切るとき、読取りヘッドはパルスを生成し、その極性は遷移の極性により決定される。例えばサーボ読取りヘッドは、各ストライプのリーディング・エッジ上で正のパルスを生成し、トレーリング・エッジ上で負のパルスを生成する。サーボ・パターン４４は、２つの異なる方位を有する繰り返し遷移を含む。第１のストライプまたは"シェブロン（chevrons）"４６は、サーボ・トラックの幅を横断して延び、トラックの水平方向に対して傾斜する第１の方位を有する。第２のストライプまたはシェブロン４８も、サーボ・トラックの幅を横断して延びるが、シェブロン４６とは反対に傾斜する方位を有する。
【００２０】
各シェブロン４６及び対応するシェブロン４８は、所定の距離Ａ0、Ａ1、Ａ2及びＡ3により分離される１対の遷移を含む。前記関連特許出願１では、所定の距離の各々が同一である。シェブロンの各々の頂点が、サーボ・トラックの中心線に配置される。シェブロン４６及び４８は、トラック中心線に対して対称的なダイヤモンド形のパターンを形成する。
【００２１】
従って、磁気テープがサーボ読取りヘッドに対して直線的に移動されるとき、サーボ読取りヘッドは、ピークを有するアナログ・サーボ読取りヘッド信号を生成し、そのピークツーピーク・タイミングは、ヘッドがトラックの幅を横断して移動するとき、変化する。タイミングのこの変化がサーボ・トラック内での磁気サーボ読取りヘッドの相対的な垂直方向の位置を決定するために使用される。通常、リーディング・エッジ遷移だけがサーボ・タイミング測定に使用される。
【００２２】
以下では、"非平行サーボ遷移"または類似の命名法は１対の遷移を指し示し、それらの遷移の少なくとも一方は傾斜されるか、そうでなければ対の遷移に対してサーボ・トラックの幅を横断して、連続的に水平方向に変化する。
【００２３】
図３に示されるサーボ・パターンは、遷移シェブロン対４６及び４８の第１のセット、及び遷移シェブロン対４６及び４９の第２のセットを含む。遷移４６及び４９は、所定距離Ｂ0、Ｂ1、Ｂ2及びＢ3により分離される。Ａ及びＢのインタバルは、テープ・スピードに無関係な位置信号を生成するために使用される。ダイヤモンド形パターン（以下、"ダイヤモンド"）の両側にあるシェブロン間のＡインタバルだけが、垂直方向の位置に従い変化することが重要である。Ｂインタバルは位置に関係なく一定である。従ってインタバルを計時し、それらの比を計算することにより、位置信号が生成される。
【００２４】
ダイヤモンドまたは類似の対が読取られているか否かを確認する能力は、シェブロンのグループ間で、異なるギャップを有することにより決定され得る。或いは、ダイヤモンドの交互のグループ内の異なる数のシェブロンにより、サーボ信号のシーケンスが区別されてもよい。図３に示されるように、第１のグループ内には４つのシェブロン４６が提供され、第２のグループ内には５つのシェブロン４９が提供される。
【００２５】
図４は、データをサーボ・トラックに符号化するために、遷移が磁気テープに対して水平方向にシフトされた図３のシェブロン及びダイヤモンドを示す。データはサーボ・タイミングが正しければ、任意の態様で符号化され得る。
【００２６】
サーボ・ループにおいて、位置誤差信号は次の式から決定される。
誤差信号＝（Ａ０＋Ａ１＋Ａ２＋Ａ３）／（Ｂ０＋Ｂ１＋Ｂ２＋Ｂ３）
【００２７】
ここでＡ０は、順方向グループの第１のシェブロンと、逆方向グループの第１のシェブロンとの間の距離であり、Ａ１は順方向グループの第２のシェブロンと、逆方向グループの第２のシェブロンとの間の距離である（以下同様）。同様に、Ｂ０は順方向グループの第１のシェブロンと、次の順方向グループの第１のシェブロンとの間の距離であり、Ｂ１は順方向グループの第２のシェブロンと、次の順方向グループの第２のシェブロンとの間の距離である（以下同様）。
【００２８】
ここで
Ｘ０＝順方向グループの第１のシェブロンの位置
Ｘ１＝順方向グループの第２のシェブロンの位置
Ｘ２＝順方向グループの第３のシェブロンの位置
Ｘ３＝順方向グループの第４のシェブロンの位置
Ｙ０＝逆方向グループの第１のシェブロンの位置
Ｙ１＝逆方向グループの第２のシェブロンの位置
Ｙ２＝逆方向グループの第３のシェブロンの位置
Ｙ３＝逆方向グループの第４のシェブロンの位置
Ｚ０＝次の順方向グループの第１のシェブロンの位置
Ｚ１＝次の順方向グループの第２のシェブロンの位置
Ｚ２＝次の順方向グループの第３のシェブロンの位置
Ｚ３＝次の順方向グループの第４のシェブロンの位置
と仮定すると、誤差信号は次のようになる。
誤差信号＝（（Ｙ０−Ｘ０）＋（Ｙ１−Ｘ１）＋（Ｙ２−Ｘ２）＋（Ｙ３−Ｘ３））／（（Ｚ０−Ｘ０）＋（Ｚ１−Ｘ１）＋（Ｚ２−Ｘ２）＋（Ｚ３−Ｘ３））
誤差信号＝（（Ｙ０＋Ｙ１＋Ｙ２＋Ｙ３）−（Ｘ０＋Ｘ１＋Ｘ２＋Ｘ３））／（（Ｚ０＋Ｚ１＋Ｚ２＋Ｚ３）−（Ｘ０＋Ｘ１＋Ｘ２＋Ｘ３））
【００２９】
グループの４つの全メンバの位置がオフセットされ、オフセットの合計が０に等しい限り、同一の結果を生成することが容易に理解される。例えば、
誤差信号＝（（（Ｙ０＋ａ）＋（Ｙ１＋ｂ）＋（Ｙ２＋ｃ）＋（Ｙ３＋ｄ））−（（Ｘ０＋ｅ）＋（Ｘ１＋ｆ）＋（Ｘ２＋ｇ）＋（Ｘ３＋ｈ）））／（（（Ｚ０＋ｉ）＋（Ｚ１＋ｊ）＋（Ｚ２＋ｋ）＋（Ｚ３＋ｌ））−（（Ｘ０＋ｅ）＋（Ｘ１＋ｆ）＋（Ｘ２＋ｇ）＋（Ｘ３＋ｈ）））
と仮定すると、同一の結果が得られる。
誤差信号＝（（Ｙ０＋Ｙ１＋Ｙ２＋Ｙ３）−（Ｘ０＋Ｘ１＋Ｘ２＋Ｘ３））／（（Ｚ０＋Ｚ１＋Ｚ２＋Ｚ３）−（Ｘ０＋Ｘ１＋Ｘ２＋Ｘ３））
【００３０】
ここで
ａ＋ｂ＋ｃ＋ｄ＝ｅ＋ｆ＋ｇ＋ｈ  及び、
ｉ＋ｊ＋ｋ＋ｌ＝ｅ＋ｆ＋ｇ＋ｈ
であるためには、
ａ＋ｂ＋ｃ＋ｄ＝ｅ＋ｆ＋ｇ＋ｈ＝ｉ＋ｊ＋ｋ＋ｌ
であることが要求される。
【００３１】
ダイヤモンドが一度に書込まれる制約が追加される場合、これは次のことを意味する。すなわち、この制約を強要する
ａ＝ｅ；ｂ＝ｆ；ｃ＝ｇ；ｄ＝ｈ；
が、誤差信号の式を単純化する。なぜなら、データ変調が分子に対して与える影響が０であるからである。しかしながら、これは次の制約、すなわち
ａ＋ｂ＋ｃ＋ｄ＝ｉ＋ｊ＋ｋ＋ｌ
を維持する。これはデータ変調が次のように制御される場合、すなわち
ａ＋ｂ＋ｃ＋ｄ＝０
ｉ＋ｊ＋ｋ＋ｌ＝０
の場合、常に真である。
【００３２】
この単純化及び分離可能性は好適な実施例では維持されるが、絶対的な制約ではない。図４乃至図９に示される変調はこの制約を満足するが、図１０の実施例はそれを回避する。
【００３３】
ａ＋ｂ＋ｃ＋ｄ＝０を保証する１つの技術は、一方のエッジの変位を他方のそれに一致させることにより（例えば変調が常に１対のエッジに、同等に反対方向に影響を与える）、データ変調が常に発生するように、制約を追加することである。この制約を満足する多数の解決策が存在する。例えば、
ａ＝−ｂ且つｃ＝−ｄならば、ａ＋ｂ＋ｃ＋ｄ＝０
ｉ＝−ｊ且つｋ＝−ｌならば、ｉ＋ｊ＋ｋ＋ｌ＝０
であり、これは正に後述される好適な実施例の１つである。
【００３４】
重要な点は、サーボ・タイミングの観点から、シェブロンが対になって同一方向若しくは反対方向に、またはパターン内のあらゆる変化が互いにオフセットするようにシフトされることである。
【００３５】
このことは、サーボ性能に影響を与えること無く、データがシェブロン・パターンの位置に符号化され得ることを意味する。符号化データは、タコメータ情報若しくはセクタ識別番号などのアドレス情報を符号化するために、またはテープ長、メーカ、媒体タイプなどのカートリッジに関する他の情報を符号化するために使用され得る。
【００３６】
図５は、データをサーボ・パターンに符号化する最も簡単な方法を示す。サーボ位置誤差信号を生成し、データを符号化するために使用されるグループ内のシェブロンの最小数は２である。
【００３７】
一般的な符号化アルゴリズムは、シェブロンを遠ざけることにより"１"を符号化し、シェブロンを一緒に近づけることにより"０"を符号化する。各シェブロンが移動される距離は大きさは同一であるが、方向は反対である。シェブロンは対になって移動されなければならないので、ダイヤモンドを構成する両方のシェブロンが対として一緒に移動される。図５では、上方のダイヤモンド５０は、データの無いシェブロンの公称スペーシングを示し、下方のダイヤモンド５１のパターンは、左から右にビット列"００１１"を符号化するように示される。
【００３８】
１グループにつき２つのシェブロンを有する場合の主な欠点は、駆動スピードを一定且つ既知のスピードに維持しない限り、"０００００"パターンと"１１１１１"パターンとの区別が困難なことである。従って、１グループにつき２つのシェブロンを有するだけの場合、速度独立の設計は困難である。
【００３９】
しかしながら、図６に示されるように、１グループにつき３つ以上のシェブロンが使用される場合には、速度独立の設計は可能である。図６の上の部分は、３つのシェブロンのグループ５５を含み、各グループはデータを有さず、公称スペーシングである。下の部分は、３つのシェブロンのグループ５６を有する本発明の実施例を示し、各グループの最初の２つのシェブロンがデータを符号化するためにシフトされている。図示の方法では、"０"はグループの最初の２つのシェブロンを遠ざけることにより符号化され、"１"はグループの最初の２つのシェブロンを一緒に近づけることより符号化される。シフトが同一の大きさであれば、サーボ検出器の見地から、それらはオフセットし、結果のＡタイミング・インタバル対Ｂタイミング・インタバルのサーボ比が、トラック追従のための正確なサーボ垂直方向位置決め信号を提供する。
【００４０】
図６を参照すると、符号化データの見地からＸが最初の２つのシェブロン間の距離であり、Ｙがグループの２番目と３番目のシェブロン間の距離と仮定すると、ＸがＹよりも大きい場合、"０"が復号され、ＹがＸよりも大きい場合、"１"が復号される。従って、Ｘ0及びＹ0は"０"として復号され、Ｘ1及びＹ1は"０"として復号され、Ｘ2及びＹ2は"１"として復号される（以下同様）。図示のパターンは、パターンが書込まれる媒体が移動している限り作用する。グループ間で速度独立、すなわち速度に対する依存性はない。
【００４１】
図示の方法及びパターンでは、サーボ対（例えばダイヤモンド）の逆方向シェブロン上に符号化されるデータは、順方向グループ上に符号化されるデータを鏡映する必要はない。順方向グループ用の書込みドライバが逆方向グループ用の書込みドライバに接続されない場合、独立なデータがそれぞれのグループに書込まれ得る。サーボ書込みドライバが一緒に結合される場合、逆方向グループ内のデータが鏡映され、順方向グループ内のデータを複製する。
【００４２】
図７の（Ａ）は、１データ・グループにつき４つのシェブロンを使用する本発明の別の実施例のパルス・パターンを示す。本発明の好適な実施例では、これらのパルス・パターンが、図８に示される交互の４ダイヤモンド及び５ダイヤモンド・バースト内で使用される。各５シェブロン・ダイヤモンド内の５番目のシェブロンは、この実施例ではデータとして符号化されず、バーストのシーケンスの同期を提供し、シェブロン対の５及び４シーケンス内の４つの符号化ビットの内の復号されている２つを示す。
【００４３】
図７の（Ａ）及び（Ｂ）のパルス・パターンは、図８のシェブロンを表す。図８に示されるように、順方向グループ及び逆方向グループの両方のシェブロンが、一緒にシフトされる。これはサーボ書込みプロセスにおいて、順方向グループ用の書込みドライバと逆方向グループ用の書込みドライバとを結合することにより、達成される。結果のパターンは図５のそれに類似するが、最小４つのダイヤモンドを有するグループに拡張され、各グループの最初の２つのダイヤモンド、または各グループの３番目と４番目のダイヤモンドをシフトすることにより、１ダイヤモンド当たり２ビットのデータを符号化する能力を提供する。上方のダイヤモンドのセット６０はデータを有さず、シェブロンが公称距離である。下方のダイヤモンドのセット６１は、太線のシェブロンをシフトすることにより符号化される図示のデータ・パターンを有する。
【００４４】
図７の（Ｂ）は、サーボ・データを読出すことにより得られるパルスのシフト、及びパルスの復号を示す。図７の（Ｂ）は更に、５シェブロン・グループ内の５番目のシェブロンのシフトを示し、これはワード・データを識別するための同期マークを提供する。例えば、ワード・データは３２ビット・シーケンスを含み、同期マークは１ワードの終り及び次のワードの開始を示す。
【００４５】
ダイヤモンドのグループに渡り、適切なサーボ・インタバルを維持するために、この実施例ではシェブロン符号化設計の各々が、１度に２つのシェブロンをシフトする。従って、常に各ダイヤモンド・バースト内に、＋ｄと−ｄのオフセット対（互いに相殺する同等で反対のオフセット）による、ＡインタバルのオフセットとＢインタバルのオフセットとが存在し、それ故、位置サーボ情報はデータ変調により影響されない。
【００４６】
図９は、図８の編成を示すが、サーボ・トラックの水平方向に垂直な１つの遷移と、"ダイヤモンド"を構成する各遷移対に対して傾斜される別の遷移とを使用する。等価な"シェブロン"及び"ダイヤモンド"を形成するこのタイプ及び別のタイプの遷移が、本発明から逸脱することなく当業者には考案されよう。
【００４７】
"２重遷移"パターンが図１０に示され、そこではデータが２重遷移６５の幅を変化することにより符号化される。通常、サーボ・シェブロンは２つの実際の遷移を含み、第１の遷移は磁気極性の第１のスイッチを有し、磁気極性の反対のスイッチがそれに続く。しかしながら通常、サーボ・システムは極性スイッチングの１方向だけを読出すかまたは認識し、他は無視する。それに対して、前述のパターンの"遷移"は典型的なタイプであり、シェブロンは２つの反対の極性遷移を有するが、それらは１つの遷移として見なされる。
【００４８】
図１０に示される本発明の実施例は、反対の極性遷移の一方をサーボ・データとして使用し、極性遷移の他方を符号化データとして使用することにより、こうした典型的なサーボ・システムを利用する。データ・ピーク６６により示されるように、左から右に読出す場合、シェブロン６５のリーディング・エッジ遷移は正のピークを提供し、シェブロンのトレーリング・エッジ遷移は負のピークを提供する。図示の例では、リーディング・エッジの正のピークは、サーボ・パターン６７に示されるサーボ情報を含み、トレーリング・エッジの負のピークは、符号化データを含む。従って、２重遷移の幅が変調され、各正のピークと続く負のピークとの間で、データを符号化するための被変調インタバルを提供する。
【００４９】
２重遷移の幅の変調または符号化は、２つの形式のいずれかを取り得る。１形式では、変調がリーディング・エッジとトレーリング・エッジとの間の距離、または正と負の遷移の間のタイミングである。別の形式では、変調がトレーリング・エッジ間の距離、または負の遷移間のタイミングである。
【００５０】
図１１は、本発明に従うデータ復号システムの実施例のブロック図であり、これは図２のサーボ信号復号器３６内に組み込まれる。
【００５１】
サーボ・ヘッドのアナログ出力が、信号線３４を介してピーク検出チャネル７０に提供され、ピーク検出チャネルは、サーボ遷移の正及び負のピークの出力信号を、前記関連特許出願１のサーボ位置誤差信号（ＰＥＳ）生成回路７１に提供する。ヘッドをトラック上でセンタリングするために、ヘッドの垂直方向のサーボ作用を制御するＰＥＳを提供する他に、ＰＥＳ回路７１は前記関連特許出願１に示されるように、シェブロン間の様々なギャップを示す信号を提供する。更に図８を参照すると、ＰＥＳ回路７１はシェブロンをカウントし、サーボ・ヘッドのシェブロンに対する水平方向の位置を確立し、各ギャップにおいて４つの信号の１つを提供する。特に、ＯＵＴ１はダイヤモンド・パターンの５つの後続のシェブロンをカウントする時に提供され、ＣＬＲ１は次の４つのシェブロンをカウントし、ギャップをセンスする時に提供され、ＯＵＴ２はダイヤモンド・パターンの次の４つのシェブロンをカウントする時に提供され、ＣＬＲ２は次の５つのシェブロンをカウントし、ギャップをセンスする時に提供される。ＰＥＳ回路７１は、これらの信号を図１１の信号線７３を介して、ビット検出及び同期論理回路７５に提供する。
【００５２】
ピーク検出チャネル７０の出力信号は、ビット検出及び同期論理回路７５にも供給される。論理回路７５は、図８または図９のシェブロン遷移の検出された正のピーク、または図１０のシェブロン遷移の正及び負のピークを、それらのピーク間のインタバルにもとづき復号する。それにより符号化データ・ビットが復号される。データ・ビットはフォーマット復号器７７に供給され、ワードにフォーマットされ、結果のデータ・ストリームがインタフェース７８を介して、テープ・ドライブ制御装置マイクロプロセッサに供給される。
【００５３】
図１１の論理回路は多くの形態を取り得、それらは論理回路設計者の選択による。以下では、使用され得る多くの形態の一例を示す。
【００５４】
図１２は、図１１のピーク検出チャネル７０の２つの例を示す。図１２の（Ａ）は、当業者には周知のアナログ・ピーク検出チャネルを含み、これは信号線３４上のサーボ・ヘッドからの出力のピークを検出する。このピーク検出チャネルは、信号線８０上に、信号線３４上に受信されるアナログ信号のピークのタイミングを指定するタイミングを有する出力信号を提供する。図１２の（Ｂ）は、デジタル・ピーク検出チャネルを含み、これは信号線８０上に、所与のサンプル時間内に信号線３４上に受信されるアナログ信号のピークのタイミングを指定するタイミングを有する出力信号を提供することにより、アナログ・ピーク検出チャネルと同一の機能を実行する。デジタル・ピーク検出チャネルは更に、非同期クロックを使用することにより、正確なピーク到来時間を示すデジタル信号が信号線８１上に提供され得るようにし、それによりピーク検出に関するエラーの機会を低減する。デジタル・ピーク検出チャネルは当業者には周知であり、図１２の（Ａ）及び（Ｂ）などの回路の選択は、設計者の判断による。
【００５５】
ビット検出及び同期論理回路７５の機能を実行する論理回路の例について、図１３乃至図２０を参照して簡単に述べることにする。図中、"Ｂ状態"はビット復号器の現ビット状態を表し、"Ｐ状態"はビット復号器の前のビット状態を表す。
【００５６】
図１３を参照すると、ビット検出制御論理回路８３は、受信されるピークの状態、例えばピークが表す遷移を決定し、検出ピークの状態を示すデジタル信号を信号線８４上に提供する。ビット検出論理回路８５は、その状態がビット検出制御論理回路８３により識別されたピーク間のインタバルのタイミングにもとづき、遷移内で符号化されたビット（対または双ビット形式）を決定し、双ビットを信号線８６上に提供する。ＰＬＬ８７はＯＵＴ１及びＯＵＴ２信号に応答して、ダイヤモンド間のギャップを示すサンプル・クロック信号を提供し、それにより、ビット検出論理回路８５からの新たな双ビットの出力を制御する。ＰＬＬ８７はサンプル・クロック信号を、約２０メガヘルツ乃至３０メガヘルツの周波数で提供する。ピーク間のインタバルを決定するために、ビット検出論理回路８５により使用されるインタバル・クロックは、サンプル・クロックの約２０倍乃至５０倍で動作する。
【００５７】
ビット検出制御論理回路８３の例が、図１４の論理ブロック図、及び図１５のフロー図を参照して述べられる。状態マシン組み合わせ論理９０は、好適には、高水準論理設計言語により作成された固定の組み合わせ論理を含む。図示の例では、状態マシン９０は、図１５のフローチャートに従い動作する。
【００５８】
ＰＥＳ論理から受信されるギャップ信号の各々は論理和され、信号線９１上に状態マシン・リセット信号（ＳＭリセット）を提供する。ＳＭリセット信号によりリセットされた状態マシンの開始状態では、信号線８４上に提供される状態は０である。図１５に示されるように、ＳＭリセット信号は任意の時刻に受信され、マシンを０にリセットする。このことは、たとえピークの１つが検出されなかったとしても、状態マシンが常に正しいポイントから開始することを保証する。状態マシンは次に第１の状態において、第１のピークを待機し、ピークが検出されるまで、各インタバル・パルスを再生する。ピークの検出に際して状態マシンは状態２に増分され、第１の遷移またはシェブロンと第２のシェブロンとの間の第１のインタバルＤ0が進行中であり、図１３のビット検出論理回路８５により計時されることを見極める。第２のピークの検出に際し、状態マシンは状態３に変化し、次の遷移または第２のシェブロンが識別されたことを示し、Ｄ0インタバルを終了し、Ｄ1インタバルのタイミングを開始する。このプロセスは、符号化データに対する３つの全てのインタバルＤ0、Ｄ1及びＤ2が、状態５において識別されるまで継続する。５シェブロン・ダイヤモンドの例の最後のシェブロンは、状態６においてＤ３すなわち同期マークとして検出される。ギャップの１つに遭遇する際、ＳＭリセットは状態マシンを状態０にリセットする。
【００５９】
図１４では、状態信号がレジスタ９３に更新されるまで記憶され、記憶された状態信号が信号線８４上に提供される。更新時、現状態は前の状態となり、レジスタ９４に記憶され、信号線９５上に提供される。
【００６０】
図１３のビット検出論理８５に関して図１６乃至図１７を参照して説明する。
【００６１】
図１６を参照すると、高速インタバル・クロック信号が信号線９８を介して、インタバル・カウンタ９９に供給される。比較器１０１は、状態変化が発生する度に、インタバル・カウンタ９９をリセットする。双方向テープ移動を考慮するために、組み合わせ論理回路１０２が提供され、これはテープ方向及び状態マシンの状態に応答して、インタバル・カウンタ９９の適切なカウントを、適切なインタバル長レジスタ１０３、１０５、１０７及び１０９にゲートする。組み合わせ論理回路１０２は好適には、高水準論理設計言語により作成される固定論理回路である。論理回路が図１６に示され、ここで"Ｆ"はテープが順方向に移動していることを示し、"Ｒ"はテープが逆方向に移動していることを示し、"５バースト"の"０"は４シェブロン・バーストを示し、"５バースト"の"１"は、５シェブロン・バーストを示し、"Ｄ０"、"Ｄ１"、"Ｄ２"及び"Ｄ３"の下の数字は、状態マシンの状態を示し、Ｄ０、Ｄ１、Ｄ２及びＤ３インタバルを提供する。例えばテープが４シェブロンを有し、順方向に移動している場合、組み合わせ論理１０２は状態２の検出に際し、インタバル・カウンタ９９のカウントをＤ０ＬＥＮレジスタ１０３にゲートし、Ｄ0インタバル長を表すインタバル・カウントを提供する。組み合わせ論理回路１０２は次に、インタバル長Ｄ1のカウントをレジスタ１０５にゲートし、インタバル長Ｄ2のカウントをレジスタ１０７にゲートする。５シェブロン・グループが検出される場合には、組み合わせ論理回路１０２はインタバル長Ｄ3のカウントをレジスタ１０９にゲートする。
【００６２】
図１７を更に参照すると、図７に示される論理に従う復号のために、インタバル長レジスタの出力が組み合わせ論理回路１１０に提供される。組み合わせ論理回路は好適には、高水準論理設計言語により作成される固定論理回路である。復号された双ビットがレジスタ１１１に記憶され、図１３にも示されたように、出力信号線８６上に提供される。遅延される双ビットはレジスタ１１２に記憶され、出力信号線１１３上に提供される。この実施例において遅延双ビットは、各ダイヤモンドの両方のシェブロンが同時に書込まれ、同様に変調されるために提供され、遅延双ビットは２つの双ビットを突き合わせることにより、エラー・チェックを提供する。
【００６３】
更に図１７を参照すると、ＯＲ回路１１５は、ＰＥＳ回路からのＣＬＲ１またはＣＬＲ２、或いはＰＬＬクロックに応答して、レジスタを更新する。
【００６４】
組み合わせ論理回路１１０が正しい順序の長さを受信しなかったり、全ての状態を通じ処理している間にエラーが発生する場合、エラーが示され、信号が消去レジスタ１１７に提供され、信号線１１８及び遅延線１１９上に提供され、信号線８６及び１１３上に提供される双ビットが不正であることを示す。
【００６５】
上述のように、現実施例では、符号化データのビットは好適にはワード形式で配列され、同期マークにより分離される。組み合わせ論理回路１１０は同期マークを検出し、信号をレジスタ１２０に提供し、同期信号を信号線１２１及び遅延線１２２上にゲートする。
【００６６】
遅延信号の必要性は、２つのシェブロン・パターンの一致を確認することにより、誤りデータを回避することである。図１８では、比較器１２５が信号線８６からの現双ビットを、信号線１１３からの遅延双ビットと比較し、それらが同一であることを保証する。同一でない場合、エラーが信号線１２６上に示される。信号線１２６上に示される任意のエラー信号、及び信号線１１８または遅延線１１９上に提供される消去信号が、回路１２７にて論理和され、図１３の信号線１２８上に消去エラー信号を提供する。
【００６７】
信号線１２１及び１２２上の同期信号及び遅延同期信号は、それぞれ回路１２９にて論理積され、同期出力信号（SyncOut）が図１３の信号線１３０上に提供される。
【００６８】
図１３のＰＬＬ制御論理回路８７について、図１９の論理回路図、及び関連付けられる図２０のダイヤモンド及びパルス図を参照して説明する。要するに、ＰＬＬ制御論理回路は、ＯＵＴ２及び状態５の組み合わせ、及びＯＵＴ１及び状態６の組み合わせに応答して、ダイヤモンド間のギャップを示すＰＬＬサンプル・クロック・パルスを、図１３の信号線１３５上に提供する。
【００６９】
図１３を再度参照すると、ビット検出論理回路により復号されるデータは、各ＰＬＬクロックに対して４ビットを含む。
【００７０】
図２１は、サーボ・ダイヤモンド遷移内で符号化されたデータのワード編成を示す。双ビットは点線で分離されて示され、各ダイヤモンドの４ビットは実線で分離されて示され、フル・ワードは同期信号により分離されて示される。
【００７１】
図１１のフォーマット復号器７７の実施例が、図２２に詳細に示される。ビット検出及び同期論理回路からの双ビットが、信号線８６を介してシフト・レジスタ２０１に提供される。追加のビット位置２０２が信号線１２８からの消去出力信号のために、シフト・レジスタ内に提供される。シフト・レジスタは１バイトの重畳データをロードし、そのバイト・データを信号線２０４を介して、データ・バイト・レジスタ２０８に転送する。アドレス指定及び制御論理回路２１０はワードが完成するまで、バイトがバイト・レジスタ２０８に蓄積するように指示し、ワードをシャドー・バイト・レジスタ２１２に転送する。次に重畳データ・ワードが信号線２１４を介して、シャドー・バイト・レジスタ２１２からゲート出力される。
【００７２】
本実施例の重畳データは、磁気テープが前進されるか後進されるかに関わらず、読出され得る。従って、テープ・ドライブ制御装置は、シフト・レジスタ２０１への信号線２２０上のテープ方向を識別し、シフト・レジスタへのビットのローディング方向を制御し、またアドレス指定及び制御論理回路２１０への信号線２２２上のテープ方向を識別し、バイト・レジスタ２０８のローディング方向を制御する。バイトを逆方向にロードするために、テープ・ドライブ制御装置は更に、信号線２２４上のワード内の最大バイト数を識別する。
【００７３】
テープ・ドライブ制御装置のマイクロプロセッサへの重畳データの伝送に頼るよりも、より直接的な水平方向の位置決めフィードバックをテープ・ドライブに提供するために、位置比較論理回路２３０が提供される。テープ・ドライブ制御装置は信号線２３２上にターゲット・アドレスを提供し、位置比較論理回路がターゲット・アドレスを、信号線２３４上のシャドー・バイト・レジスタからのデータのアドレスと比較する。
【００７４】
位置のより正確な識別が所望される場合には、ダイヤモンド・カウンタ２４０が提供され、データがバイト・レジスタ２０８に転送されているダイヤモンドの番号にもとづき、ワード内の現位置を識別する。このダイヤモンド・カウントは信号線２４１を介して、テープ・ドライブ制御装置及び位置比較論理回路２３０に提供される。
【００７５】
図２３は、図２２の消去ビット論理回路２０２及びシフト・レジスタ２０１を詳細に示す。信号線２２０上の方向信号にもとづき、シフト・レジスタ２０１は信号線８６上の重畳データ・ビットを、自身の順方向側２５０にロードするか、または逆方向側２５１にロードし、それぞれ順方向または逆方向にシフトする。各双ビットが、信号線１３５上におけるＰＬＬからのサンプル・パルスの受信時にロードされる。消去ビットは、消去信号が信号線１２８上において、信号線１３５上のクロック信号と一緒に受信されるまで、レジスタ２５４内で"０"に維持される。消去信号はこのとき"１"に変化し、信号線２６５上に新たなバイトが受信されるまで、その状態に維持される。９ビットのシフト・レジスタ出力が信号線２５６上に提供される。
【００７６】
図２２のバイト・アドレス指定及び制御論理回路２１０及びダイヤモンド・カウンタ２４０が、図２４に示される。信号線２２２上で受信される順方向及び逆方向信号はアドレス指定論理を実行し、"０"または信号線２２４からの最大バイト・アドレスのいずれかをアドレス・レジスタ２６０にロードし、またアドレスを"０"から増分するか、またはアドレスを最大から減分する。アドレス・レジスタは、新たなワードの開始を示す信号線１３０上の同期識別子の受信時にリセットされる。アドレス・レジスタ２６０は、信号線１３５上におけるＰＬＬからの各サンプル時刻において増分または減分される。或いは、バイト・アドレスが１バイト内のビット数により分割され、バイト識別を提供してもよい。ダイヤモンド・カウンタ２４０はレジスタ２６４を含み、これは各サンプル・クロックにより増分され、信号線１３０からの各同期パルスがクロック信号１３５によりゲートされる時、すなわち図示の実施例ではカウント"１５"において、リセットされる。ダイヤモンド・カウントは信号線２６５上に提供される。このカウントはまた、レジスタ２６６にも提供され、これはダイヤモンド・カウントを１クロック周期遅延させ、後述のようにシャドー・レジスタを操作する。
【００７７】
図２５及び図２６は、図２２のバイト・レジスタ２０８及びシャドー・バイト・レジスタ２１２をそれぞれ示す。図２４の信号線２６１からのバイト・アドレス情報が、比較器２７１乃至２７３に供給される。信号線２６５上のダイヤモンド・カウンタ出力は、比較器２７６に供給され、信号線１３５上のサンプル・クロック信号とダイヤモンド・カウントの３との組み合わせが、信号線２５６からのシフト・レジスタの内容を比較器２７０乃至２７３により示されるバイト・アドレスにより指定されるレジスタ２８０乃至２８３の１つにゲートする。レジスタ２８０乃至２８３が充填されるとき、フル・ワードの重畳データを含むデータがレジスタ内に組み立てられる。このデータは信号線２８５上で使用可能である。
【００７８】
レジスタ２８０乃至２８３を充填すると、フル・ワードの重畳データが完成し、信号線２８５上で使用可能になる。ほぼその時、ダイヤモンド・カウンタが"０"にリセットされ、"０"カウントが比較器２８９により検出され、比較器２８９は信号線２８５を、対応するシャドー・レジスタ２９０乃至２９３のセットにゲートする。シャドー・レジスタ出力は完全な重畳ワードを含み、これは次のワードが完成するまで維持される。
【００７９】
シャドー・レジスタ出力は、図２２に示される信号線２１４上に提供され、図１１のフォーマット復号器７７の出力を構成し、インタフェース７８を通じてテープ・ドライブ制御装置に提供される。
【００８０】
当業者には、サーボ遷移から重畳データを抽出する論理回路を提供する多くの代替実施例が存在することが理解されよう。
【００８１】
フォーマット復号器として同期文字を使用する代替実施例では、後述の同期マークを生成する文字を含むデータ・コードを使用する。
【００８２】
順次タコメータ・データを各ダイヤモンドの４ビット・パターンに符号化するのに特に好適なデータ符号化の例は１３進法を含む。
【００８３】
数を符号化する１３進法は４ビット記号を使用し、これは８／９（０、３）コードよりも高度な情報内容、及びより単純なハードウェアの実現をもたらす（０、４）データ・ストリームを生成する。
【００８４】
重要な点はワード・フォーマットを確立するために、特殊な"同期マーク"遷移シフト機構が要求されないことである。同期マークは各ワード内の複数のビットを、１つの除外パターンにより占有する。他の除外パターンは他の目的に使用され得る。ＲＬＬコードの'ｋ'条件の変更は、有効に作用する最小の同期マーク・パターンが１個の１と４個の０の代わりに、１個の１と５個の０であることを要求する以外は影響しない。通常、'ｋ'条件はＰＬＬに最小の更新率を保証するが、ここでは当てはまらない。（０、４）の実現は、基本的に基数１３でカウントする。すなわち、４ビット記号に関してそれらの３つを除外すると、１３進法が生成され、これは常に（０、４）コードを実現するように符号化する。なぜなら、２個より多い'０'で開始または終了する記号が存在しないからである。
【００８５】
１６進法  １３進法  １３進法簡略表現
００００  除外      −
０００１  除外      −
００１０  ００１０  Ｃ
００１１  ００１１  Ｂ
０１００  ０１００  Ａ
０１０１  ０１０１  ９
０１１０  ０１１０  ８
０１１１  ０１１１  ７
１０００  除外      −
１００１  １００１  ６
１０１０  １０１０  ５
１０１１  １０１１  ４
１１００  １１００  ３
１１０１  １１０１  ２
１１１０  １１１０  １
１１１１  １１１１  ０
【００８６】
図２７は、前記関連特許出願１に由来し、シェブロンまたはダイヤモンド・サーボ・パターンを記録するヘッド４０２を含み、パターニングされたギャップ４１４を使用する。
【００８７】
図２８及び図２９を参照すると、ヘッド４０２がテープ５０４上にサーボ・パターンを書込む様子が示され、テープはリール５２０と５２２との間を、矢印５１２方向に移動される。図２９のパターン・ジェネレータ５１６が図２８に示され、制御装置４３２及び符号器４３３を含む。符号化データが制御装置４３２の制御の下で、符号器４３３からシフト・レジスタ４３５にロードされ、パルス・ジェネレータ５１８にシフトされる。シフト・レジスタ４３５は、パルス・ジェネレータによるパルスの供給のタイミングを表し、ヘッド４０２にテープ４０２上にシェブロンを書込むように指示する。従って、前記関連特許出願１の規則的な繰り返しシェブロン・パターンではなしに、シフト・レジスタ４３５のデータは、シェブロンをシフトし、所望のデータをサーボ・パターン上に重畳させるために、パルス検出器のタイミングをより一層正確に制御する。
【００８８】
パターン・ジェネレータ５１６及びパルス・ジェネレータ５１８は、ヘッド４０２の両方のパターニングされたギャップ４１４に結合されるように示される。或いは、パターン・ジェネレータと別々のパルス・ジェネレータが、ギャップ４１４の各シェブロンに接続され、異なるデータを各シェブロンに提供してもよい。
【００８９】
図２９を参照すると、符号化サーボ・パターンが読取りヘッド５２４により検出され、回路５２６により増幅され、パターン・ベリファイア５２８により確認される。
【００９０】
図３０は、２重のサーボ・トラック２７及び２７'を有し、ヘッド・アセンブリ２４'のサーボ読取りヘッド２６及び２６'により読出される２重サーボ及び重畳データ・システムを示す。サーボ・トラックは同時に読出され、サーボ・ヘッドを両方のサーボ・トラック中心線３０及び３０'上にサーボ制御することにより、データ・ヘッド２８ａ及び２８ｂのより正確な位置決めを提供する。これらのヘッドの平均または組み合わせ位置は、単一ヘッドの位置よりも正確である。信号復号器３６'は信号復号器３６と同一であり、同一の重畳データ復号機構を使用し、追加のデータを提供する。例えば、サーボ・トラック２７がアドレス指定データを提供し、サーボ・トラック２７'がテープの記述を提供する。そしてこの記述はテープ長などの指標付けに使用されたり、媒体のタイプやメーカなどを示す。
【００９１】
以上、本発明の好適な実施例について詳述したが、当業者には本発明の範囲から逸脱することなく、これらの実施例に対する変更及び適応化が可能であることが明らかであろう。
【００９２】
まとめとして、本発明の構成に関して以下の事項を開示する。
【００９３】
（１）少なくとも１つの水平方向トラックを定義する複合型サーボ及びデータ情報を記録媒体上に記録するためのセンス可能な遷移パターンであって、非平行なセンス可能な遷移の少なくとも２つの繰り返し遷移対のバースト・パターンを含み、前記遷移対の各々の少なくとも１つの遷移が、前記トラックを横断して連続的に水平方向に変化し、前記非平行な遷移がサーボ情報を含み、前記繰り返し遷移対の少なくとも２つの前記遷移が、該繰り返し遷移対の他の前記遷移に対して水平方向にシフトされ、シフトされた前記遷移がデータ情報を含む、遷移パターン。
（２）前記バースト・パターンの繰り返し遷移対が、前記遷移対の平行な第１の遷移と、前記遷移対の平行な第２の遷移とを含む、前記（１）記載の遷移パターン。
（３）前記バースト・パターンの繰り返し遷移対がインタレースされ、前記遷移対の前記第１の遷移が一緒にグループ化され、前記遷移対の前記第２の遷移が一緒にグループ化される、前記（２）記載の遷移パターン。
（４）少なくとも３つの前記遷移対を含み、前記繰り返し遷移対の２つの前記遷移の少なくとも１つのグループが、前記繰り返し遷移対の別の遷移に対して水平方向にシフトされ、前記データ情報を提供する、前記（１）記載の遷移パターン。
（５）前記少なくとも１つのグループの前記２つの遷移が、それぞれ互いに向けてまたは離れて反対方向にシフトされ、互いに向かう前記シフトが１のビットを表し、互いに離れる前記シフトが反対のビットを表す、前記（４）記載の遷移パターン。
（６）２つの遷移の前記グループが１対の遷移を含み、前記遷移対の両方の前記遷移が同一方向にシフトされ、第１の方向の前記シフトが１のビットを表し、反対方向の前記シフトが反対のビットを表す、前記（４）記載の遷移パターン。
（７）複数の前記バースト・パターンを含み、２つのシフトされた前記遷移の各々が、データ・セット内の１のビットを表す、前記（１）記載の遷移パターン。
（８）前記データ・セットがアドレス情報を含む、前記（７）記載の遷移パターン。
（９）前記データ・セットが、アドレス情報の１３個のコード・ワードを表す４ビットを含む、前記（８）記載の遷移パターン。
（１０）前記遷移対の前記非平行な遷移の１つが、前記トラックを横断して水平方向に直線状に傾斜される、前記（１）記載の遷移パターン。
（１１）非平行なセンス可能な遷移の前記繰り返し遷移対を交互の数で有し、水平方向の同期を提供する複数の前記バースト・パターンを含む、前記（１）記載の遷移パターン。
（１２）一方の交互の前記バースト内に、非平行なセンス可能な遷移の５つの繰り返し遷移対を含み、他方の交互の前記バースト内に、非平行なセンス可能な遷移の４つの繰り返し遷移対を含む、前記（１１）記載の遷移パターン。
（１３）磁束遷移パターン内に記録され、少なくとも１つの水平方向サーボ・トラックを定義する事前記録複合型サーボ及びデータ情報を有する磁気テープ媒体であって、非平行な磁束遷移の少なくとも２つの繰り返し遷移対のバースト・パターンを含み、前記遷移対の各々の少なくとも１つの遷移が、前記トラックの幅を横断して連続的に水平方向に変化し、前記非平行な遷移対が前記水平方向のトラックを定義するトラック追従サーボ情報を含み、前記繰り返し遷移対の少なくとも２つの前記遷移が、該繰り返し遷移対の他の前記遷移に対して水平方向にシフトされ、シフトされた前記遷移がデータ情報を含む、磁気テープ媒体。
（１４）前記バースト・パターンの繰り返し遷移対がインタレースされ、前記遷移対の第１の遷移が一緒にグループ化され、前記遷移対の第２の遷移が一緒にグループ化される、前記（１３）記載の磁気テープ媒体。
（１５）前記バースト・パターンの繰り返し遷移対が、前記遷移対の平行な第１の遷移と、前記遷移対の平行な第２の遷移とを含む、前記（１３）記載の磁気テープ媒体。
（１６）少なくとも３つの前記遷移対を含み、前記繰り返し遷移対の２つの前記遷移の少なくとも１つのグループが、前記繰り返し遷移対の別の遷移に対して水平方向にシフトされ、前記データ情報を提供する、前記（１３）記載の磁気テープ媒体。
（１７）前記少なくとも１つのグループの前記２つの遷移が、それぞれ互いに向けてまたは離れて反対方向にシフトされ、互いに向かう前記シフトが１のビットを表し、互いに離れる前記シフトが反対のビットを表す、前記（１６）記載の磁気テープ媒体。
（１８）２つの遷移の前記グループが１対の遷移を含み、前記遷移対の両方の前記遷移が同一方向にシフトされ、第１の方向の前記シフトが１のビットを表し、反対方向の前記シフトが反対のビットを表す、前記（１６）記載の磁気テープ媒体。。
（１９）複数の前記バースト・パターンを含み、シフトされた前記遷移対の各々が、データ・セット内の１のビットを表す、前記（１３）記載の磁気テープ媒体。
（２０）前記データ・セットが前記テープ媒体に沿う水平方向の位置を表すアドレス情報を含む、前記（１９）記載の磁気テープ媒体。
（２１）前記データ・セットが、アドレス情報の１３個のコード・ワードを表す４ビットを含む、前記（２０）記載の磁気テープ媒体。
（２２）前記バースト・パターンの繰り返し遷移対がインタレースされ、前記遷移対の第１の遷移が一緒にグループ化され、前記遷移対の第２の遷移が一緒にグループ化され、アドレス情報を含む、前記（１６）記載の磁気テープ媒体。
（２３）前記遷移対の前記非平行な遷移の１つが、前記トラックの幅を横断して水平方向に直線状に傾斜される、前記（１３）記載の磁気テープ媒体。
（２４）非平行な磁束遷移の前記少なくとも２つの繰り返し遷移対を交互の数で有し、水平方向の同期を提供する複数の前記バースト・パターンを含む、前記（１３）記載の磁気テープ媒体。
（２５）一方の交互の前記バースト内に、非平行な磁束遷移の５つの繰り返し遷移対を含み、他方の交互の前記バースト内に、非平行な磁束遷移の４つの繰り返し遷移対を含む、前記（２４）記載の磁気テープ媒体。
（２６）磁束遷移パターン内に記録され、複数の平行な水平方向サーボ・トラックを定義する事前記録複合型サーボ及びデータ情報を有する磁気テープ媒体であって、複数の平行なバースト・パターンを含み、前記バースト・パターンの各セットが１つ以上の前記平行な水平方向サーボ・トラックを表し、非平行な磁束遷移の少なくとも２つの繰り返し遷移対を有し、前記遷移対の各々の少なくとも１つの遷移が、前記トラックの幅を横断して連続的に水平方向に変化し、前記非平行な遷移が前記平行な水平方向のトラックを定義するトラック追従サーボ情報を含み、前記複数の平行なバースト・パターンの各々内の前記繰り返し遷移対の少なくとも２つの前記遷移が、前記バースト・パターン内の前記繰り返し遷移対の他の前記遷移に対して、水平方向にシフトされ、シフトされた前記遷移がデータ情報を含む、磁気テープ媒体。
（２７）前記複数の平行なバースト・パターンの１つ内のデータが、前記磁気テープ媒体に沿う水平方向の位置に関するアドレス指定情報を含む、前記（２６）記載の磁気テープ媒体。
（２８）移動記憶媒体上のサーボ・パターン内に重畳されたデータを読出すデータ・システムであって、前記サーボ・パターンが、前記移動記憶媒体に関し垂直方向に延びる非平行なセンス可能なサーボ遷移対のバーストを有し、前記重畳データが、前記移動記憶媒体に対して水平方向にシフトされる選択された前記遷移を含むものにおいて、
前記移動記憶媒体に関し、前記水平方向に沿う前記センス可能なサーボ遷移をセンスするサーボ・トランスジューサと、
センスされた前記サーボ遷移に応答して、非平行なセンス可能な前記遷移の位置のシフトを検出する検出器と、
検出された前記位置シフトに応答して、前記重畳データを復号する復号器と
を含む、データ・システム。
（２９）シフトされる非平行な前記遷移が２つの遷移のグループに含まれ、他の前記非平行な遷移に対して水平方向に位置をシフトされて、前記重畳データを提供し、前記検出器が、前記２つの遷移のグループの前記他の遷移に対する位置のシフトを検出する、前記（２８）記載のデータ・システム。
（３０）各前記バースト内のシフトされた２つの非平行な遷移のグループが、それぞれ互いに向けてまたは離れて、反対の水平方向にシフトされ、互いに向かう前記遷移の前記位置シフトが１のビットを表し、互いに離れる前記遷移の前記位置シフトが反対のビットを表し、前記検出器が、互いに向けてまたは離れてシフトされた前記遷移の位置シフトを検出し、前記復号器が互いに向かう位置シフトの前記検出に１のビットとして応答し、互いに離れる位置シフトの前記検出に反対のビットとして応答する、前記（２９）記載のデータ・システム。
（３１）各前記バースト内の１対のシフトされた非平行な前記遷移が、２つの反対の水平方向の同一方向にシフトされ、前記遷移対の一方の前記水平方向の位置シフトが１のビットを表し、反対の前記水平方向の位置シフトが反対のビットを表し、前記検出器が、シフトされた前記遷移対の前記一方の水平方向のまたは前記反対の水平方向の位置シフトを検出し、前記復号器が、前記一方の水平方向の位置シフトの前記検出に１のビットとして応答し、前記反対の水平方向の位置シフトの前記検出に反対のビットとして応答する、前記（２９）記載のデータ・システム。
（３２）シフトされる２つの遷移の前記グループの各々が、データ・セット内の１のビットを表し、前記復号器が前記ビットから前記データ・セットを復号する、前記（２９）記載のデータ・システム。
（３３）移動磁気記憶媒体上のサーボ・パターンから前記移動磁気記憶媒体上の水平方向の位置を決定するアドレス指定システムであって、前記サーボ・パターンが、前記移動磁気記憶媒体に関し垂直方向に延びる非平行な磁束サーボ遷移対のバーストを有し、２つの前記遷移の選択グループが前記移動磁気記憶媒体に対して水平方向にシフトされ、前記アドレス情報を符号化するものにおいて、
前記移動磁気記憶媒体に関し、前記水平方向に沿う前記磁束サーボ遷移をセンスし、前記磁束サーボ遷移を表す信号を提供するサーボ・トランスジューサと、
センスされた前記サーボ遷移信号に応答して、前記非平行な磁束遷移の前記グループの位置のシフトを検出する検出器と、
検出された前記位置シフトに応答して、前記位置シフト内に符号化された前記アドレス情報を復号する復号器と
を含む、アドレス指定システム。
（３４）シフトされた非平行な遷移の前記グループが、他の非平行な遷移対に対して水平方向にシフトされた遷移対を含み、前記符号化アドレス情報を提供し、前記復号器が前記磁束サーボ遷移の位置シフトを検出し、前記他の遷移対に対してシフトされた前記遷移対を識別する、前記（３３）記載のアドレス指定システム。
（３５）各前記バースト内のシフトされた非平行な遷移の前記グループが、それぞれ互いに向けてまたは離れて、反対の水平方向にシフトされ、前記検出器が、互いに向けてまたは離れてシフトされた２つの遷移の前記グループの位置シフトを検出する、前記（３３）記載のアドレス指定システム。
（３６）前記遷移グループの１方向の前記位置シフトが１のビットを表し、前記遷移グループの反対方向の前記位置シフトが反対のビットを表し、前記復号器が前記１方向の位置シフトの検出に１のビットとして応答し、前記反対方向の位置シフトの検出に反対のビットとして応答する、前記（３３）記載のアドレス指定システム。
（３７）シフトされた２つの遷移の前記グループの各々が、データ・セット内の１のビットを表し、前記復号器が前記データ・ビットのセットから前記符号化アドレス情報を復号する、前記（３６）記載のアドレス指定システム。
（３８）前記バースト・パターンが、４ビットの前記符号化アドレス情報を表す２つの遷移の４つのグループのセットに編成され、前記復号器が４ビットのセット内の前記符号化アドレス情報を復号する、前記（３７）記載のアドレス指定システム。
（３９）２つの遷移の前記４つのグループのセットが、アドレス情報の１３個のコード・ワードを含み、前記復号器が前記４ビットのセットの前記符号化アドレス情報を、前記１３個のコード・ワードに復号する、前記（３８）記載のアドレス指定システム。
（４０）前記バースト・パターンの繰り返し遷移対がインタレースされ、前記遷移対の第１の遷移が一緒にグループ化され、前記遷移対の第２の遷移が一緒にグループ化され、前記検出器が前記グループ化に応答して、前記遷移対の前記位置シフトを検出する、前記（３７）記載のアドレス指定システム。
（４１）移動磁気記憶媒体上の複数の平行な水平方向サーボ・パターンの１つから、前記移動磁気記憶媒体上の水平方向の位置を決定するアドレス指定システムであって、前記サーボ・パターンが、前記移動磁気記憶媒体に関し垂直方向に延びる非平行な磁束サーボ遷移対のバーストを有し、２つの前記遷移の選択グループが前記移動磁気記憶媒体に対して水平方向にシフトされ、水平方向のサーボ・パターンの１つが前記アドレス情報を符号化するものにおいて、
前記移動磁気記憶媒体に関し、前記水平方向に沿う平行な前記水平方向サーボ・パターンの各々の前記磁束サーボ遷移をセンスし、前記磁束サーボ遷移を表す信号を提供するサーボ・トランスジューサと、
前記トランスジューサの１つのセンスされた前記サーボ遷移信号に応答して、前記非平行な磁束遷移の位置のシフトを検出する複数の検出器と、
検出された前記位置シフトに応答して、２つの前記遷移の前記グループの前記位置シフト内に符号化された前記アドレス情報を復号する復号器と
を含む、アドレス指定システム。
（４２）磁気テープ媒体用のタイミング・ベースのサーボ・システムにおいて、前記磁気テープ媒体上のタイミング・ベースのサーボ・パターンから、前記磁気テープ媒体上の水平方向の位置を決定するアドレス指定システムであって、前記タイミング・ベースのサーボ・パターンが、前記磁気テープ媒体に関し垂直方向に延びる非平行な磁束サーボ遷移対のバーストを有し、２つの前記遷移の選択グループが前記磁気テープ媒体に対して水平方向にシフトされて、前記アドレス情報を符号化し、前記タイミング・ベースのサーボ・システムが、前記磁気テープ媒体に関し前記水平方向に沿う前記磁束サーボ遷移をセンスするサーボ・トランスジューサを有するものにおいて、
センスされた前記サーボ遷移に応答して、前記非平行な磁束遷移の位置のシフトを検出する検出器と、
検出された前記位置シフトに応答して、前記位置シフト内に符号化された前記アドレス情報を復号する復号器と
を含む、アドレス指定システム。
（４３）２つのシフトされた非平行な遷移の前記グループが、他の前記非平行な遷移に対して等しい大きさだけ位置を水平方向にシフトされ、前記タイミング・ベースのサーボ・パターンを保存しながら、前記符号化アドレス情報を提供し、前記検出器が前記磁束サーボ遷移間のタイミング・ベースのスペーシングを検出し、前記他の遷移に対してシフトされた前記遷移の位置シフトを識別する、前記（４２）記載のアドレス指定システム。
（４４）２つのシフトされた非平行な遷移対の前記グループが、それぞれ互いに向けてまたは離れて、反対の水平方向にシフトされ、前記検出器が、互いに向けてまたは離れてシフトされた前記遷移の位置シフトを検出する、前記（４３）記載のアドレス指定システム。
（４５）２つのシフトされた非平行な遷移の前記グループが、同一方向にシフトされた遷移対を含み、前記遷移対が互いに向けてまたは離れてシフトされ、前記検出器が、互いに向けてまたは離れてシフトされる前記遷移対の位置シフトを、前記符号化アドレス情報として検出する、前記（４３）記載のアドレス指定システム。
（４６）前記遷移グループの１方向の前記位置シフトが１のビットを表し、前記遷移グループの反対方向の前記位置シフトが反対のビットを表し、前記復号器が前記１方向の位置シフトの検出に１のビットとして応答し、前記反対方向の位置シフトの検出に反対のビットとして応答する、前記（４３）記載のアドレス指定システム。
（４７）シフトされた２つの遷移の前記グループの各々が、データ・セット内の１のビットを表し、前記復号器が前記データ・ビットのセットから前記符号化アドレス情報を復号する、前記（４６）記載のアドレス指定システム。
（４８）前記バースト・パターンが、４ビットの前記符号化アドレス情報を表す２つの遷移の４つのグループのセットに編成され、前記復号器が４ビットのセット内の前記符号化アドレス情報を復号する、前記（４７）記載のアドレス指定システム。
（４９）前記バースト・パターンの繰り返し遷移対がインタレースされ、前記遷移対の第１の遷移が一緒にグループ化され、前記遷移対の第２の遷移が一緒にグループ化され、前記検出器が前記グループ化に応答して、前記遷移グループの前記位置シフトを検出する、前記（４６）記載のアドレス指定システム。
（５０）前記複数のバースト・パターンが、非平行な磁束遷移の前記少なくとも２つの繰り返し遷移対を交互の数で有することにより、水平方向の同期を提供し、前記検出器が前記バースト・パターンの前記交互の数の遷移に応答して、前記磁束サーボ遷移間のタイミング・ベースのスペーシングを検出し、前記位置シフトを有する前記遷移グループの該位置シフトを識別する、前記（４２）記載のアドレス指定システム。
（５１）前記交互のバースト・パターンが、一方の交互バースト内に非平行な磁束遷移の５つの繰り返し遷移対を有し、他方の交互バースト内に非平行な磁束遷移の４つの繰り返し遷移対を有し、前記検出器が前記交互のバースト・パターンに応答して、前記位置シフトを有する前記遷移グループを検出する、前記（５０）記載のアドレス指定システム。
（５２）磁気テープ媒体上のサーボ・パターンから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ遷移対のバーストを有し、２つの前記遷移の選択グループが前記磁気テープ媒体に対して水平方向にシフトされて、前記アドレス情報を符号化するものにおいて、
前記磁気テープ媒体上のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し前記水平方向に沿う前記磁束サーボ遷移をセンスし、前記磁束サーボ遷移を表す信号を提供するサーボ・トランスジューサと、
センスされた前記サーボ遷移信号に応答して、前記磁束サーボ遷移間のタイミング・ベースのスペーシングを検出し、２つの非平行な磁束遷移の前記グループの位置シフトを識別する検出器と、
検出された前記位置シフトに応答して、前記位置シフト内に符号化された前記アドレス情報を復号する復号器と
を含む、磁気テープ・ドライブ。
（５３）２つのシフトされた非平行な遷移の前記グループが、他の前記非平行な遷移に対して等しい大きさだけ位置を水平方向にシフトされ、前記符号化アドレス情報を提供し、前記検出器が、前記他の遷移に対してシフトされた前記グループの位置シフトを検出する、前記（５２）記載の磁気テープ・ドライブ。
（５４）各前記グループ内の２つのシフトされた非平行な遷移が、それぞれ互いに向けてまたは離れて、反対の水平方向にシフトされ、前記検出器が、互いに向けてまたは離れてシフトされた前記遷移の位置シフトを検出する、前記（５３）記載の磁気テープ・ドライブ。
（５５）２つのシフトされた非平行な遷移の前記グループが、同一方向にシフトされた遷移対を含み、前記遷移対が互いに向けてまたは離れてシフトされ、前記検出器が、互いに向けてまたは離れてシフトされる前記遷移対の位置シフトを、前記符号化アドレス情報として検出する、前記（５３）記載の磁気テープ・ドライブ。
（５６）前記遷移グループの１方向の前記位置シフトが１のビットを表し、前記遷移グループの反対方向の前記位置シフトが反対のビットを表し、前記復号器が前記１方向の位置シフトの検出に１のビットとして応答し、前記反対方向の位置シフトの検出に反対のビットとして応答する、前記（５３）記載の磁気テープ・ドライブ。
（５７）シフトされた２つの遷移の前記グループの各々が、データ・セット内の１のビットを表し、前記復号器が前記データ・ビットのセットから前記符号化アドレス情報を復号する、前記（５６）記載の磁気テープ・ドライブ。
（５８）前記遷移グループが、４ビットの前記符号化アドレス情報を表す４つのグループのセットに編成され、前記復号器が４ビットのセット内の前記符号化アドレス情報を復号する、前記（５７）記載の磁気テープ・ドライブ。
（５９）前記４つのグループのセットが、アドレス情報の１３個のコード・ワードを含み、前記復号器が前記４ビットのセットの前記符号化アドレス情報を、前記１３個のコード・ワードに復号する、前記（５８）記載の磁気テープ・ドライブ。
（６０）前記バースト・パターンの繰り返し遷移対がインタレースされ、前記遷移対の第１の遷移が一緒にグループ化され、前記遷移対の第２の遷移が一緒にグループ化されて、前記アドレス情報を含み、前記検出器が前記グループ化に応答して、前記遷移グループの前記位置シフトを検出する、前記（５６）記載の磁気テープ・ドライブ。
（６１）前記複数のバースト・パターンが、非平行な磁束遷移の前記少なくとも２つの繰り返し遷移対を交互の数で有することにより、水平方向の同期を提供し、前記検出器が前記バースト・パターンの前記交互の数の遷移に応答して、前記位置シフトを有する前記遷移グループを検出する、前記（５２）記載の磁気テープ・ドライブ。
（６２）前記交互のバースト・パターンが、一方の交互バースト内に非平行な磁束遷移の５つの繰り返し遷移対を有し、他方の交互バースト内に非平行な磁束遷移の４つの繰り返し遷移対を有し、前記検出器が前記交互のバースト・パターンに応答して、前記位置シフトを有する前記遷移グループを検出する、前記（６１）記載の磁気テープ・ドライブ。
（６３）磁気テープ媒体上の複数の平行な水平方向サーボ・パターンの１つから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ遷移対のバーストを有し、前記遷移の選択グループが前記磁気テープ媒体に対して水平方向にシフトされて、前記アドレス情報を符号化するものにおいて、
前記磁気テープ媒体上の平行な水平方向のトラック内のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し、水平方向に沿う前記複数の平行な水平方向サーボ・パターンの１つ内の前記磁束サーボ遷移をセンスし、前記磁束サーボ遷移を表す信号を提供する複数のサーボ・トランスジューサと、
前記サーボ・トランスジューサの少なくとも１つによりセンスされた前記サーボ遷移信号に応答して、前記磁束サーボ遷移間のタイミング・ベースのスペーシングを検出し、前記符号化アドレス情報を表す非平行な磁束遷移の前記グループの位置シフトを識別する検出器と、
検出された前記位置シフトに応答して、前記位置シフト内に符号化された前記アドレス情報を復号する復号器と
を含む、磁気テープ・ドライブ。
（６４）他の前記サーボ・トランスジューサによりセンスされた前記サーボ遷移に応答して、前記磁束サーボ遷移間のタイミング・ベースのスペーシングを検出し、前記アドレス情報以外の情報を表す非平行な磁束遷移の前記グループの位置シフトを識別する少なくとも１つの検出器を含む、前記（６３）記載の磁気テープ・ドライブ。
（６５）磁束遷移パターン内に記録され、少なくとも１つの水平方向サーボ・トラックを定義する事前記録サーボ情報を書込む磁気テープ・サーボ書込み装置において、前記サーボ書込み装置が、少なくとも１つの書込み素子が前記トラックの幅を横断して連続的に水平方向に変化し、非平行なギャップを有する２つの間隔をあけた書込み素子と、磁気テープを前記書込み素子を横断して水平方向に所定の速度で移動するドライブと、間隔をあけた前記書込み素子に、前記非平行なギャップに対応するパターンを書込むように指示する刻時パルス源とを有し、前記パターンが、前記水平方向サーボ・トラックを定義するトラック追従サーボ情報を含む対に編成されるものにおいて、前記磁束遷移パターン上にデータを重畳するデータ書込み装置が、
データを所定の時間シフトに符号化する符号器と、
前記符号器に応答して、前記刻時パルス源のタイミングをシフトすることにより、２つの非平行な磁束遷移の少なくとも１つのグループのパターンを、別の前記対に対して水平方向にシフトし、シフトされた前記対にデータ情報を含ませるパルス・タイマと
を含む、データ書込み装置。
（６６）前記符号器が順次アドレス・データを前記所定の時間シフトに符号化する、前記（６５）記載のデータ書込み装置。
（６７）磁束遷移パターン内に記録され、少なくとも１つの水平方向サーボ・トラックを定義する、データが重畳される事前記録サーボ情報を書込む磁気テープ・サーボ及びデータ書込み装置であって、
少なくとも１つの書込み素子が前記トラックの幅を横断して連続的に水平方向に変化し、非平行なギャップを有する２つの間隔をあけた書込み素子と、
磁気テープを前記書込み素子を横断して水平方向に所定の速度で移動するドライブと、
データを所定の時間シフトに符号化する符号器と、
間隔をあけた前記書込み素子に、前記非平行なギャップに対応するパターンを書込むように指示する刻時パルス源であって、前記パターンが、前記水平方向サーボ・トラックを定義するトラック追従サーボ情報を含む対に編成される、刻時パルス源と、
前記符号器に応答して、前記刻時パルス源のタイミングをシフトすることにより、２つの非平行な磁束遷移の少なくとも１つのグループのパターンを、他の前記遷移に対して水平方向にシフトし、シフトされた前記遷移グループにデータ情報を含ませるパルス・タイマと
を含む、磁気テープ・サーボ及びデータ書込み装置。
（６８）記憶媒体上の非平行なサーボ遷移対内にデータ情報を重畳する方法であって、少なくとも１つの書込み素子が前記記憶媒体を横断して連続的に水平方向に変化し、非平行なギャップを有する２つの間隔をあけた書込み素子と、前記記憶媒体を前記書込み素子を横断して水平方向に所定の速度で移動するドライブとを使用するものにおいて、
データ情報を所定の時間シフトに符号化するステップと、
間隔をあけた前記書込み素子に刻時パルスを提供し、前記非平行なギャップに対応するサーボ遷移対のパターンを同時に書込むステップと、
前記所定の時間シフトに従い、前記刻時パルスのタイミングをシフトすることにより、２つの非平行な磁束遷移の少なくとも１つのグループを、他の前記遷移に対して水平方向にシフトし、シフトされた前記遷移にデータ情報を含ませるステップと
を含む、方法。
（６９）移動記憶媒体上のサーボ・パターン内に重畳されたデータを読出す方法であって、前記サーボ・パターンが、前記移動記憶媒体に関し垂直方向に延びる非平行なセンス可能なサーボ遷移対のバーストを有し、前記重畳データが、前記移動記憶媒体に対して水平方向にシフトされる２つの前記遷移の選択グループを含むものにおいて、
前記移動記憶媒体に関し、前記水平方向に沿う前記センス可能なサーボ遷移をセンスするステップと、
センスされた前記サーボ遷移に応答して、２つの非平行なセンス可能な遷移の前記グループの位置のシフトを検出するステップと、
検出された前記位置シフトに応答して、前記重畳データを復号するステップと
を含む、方法。
（７０）少なくとも１つの水平方向トラックを定義する複合型サーボ及びデータ情報を記録媒体上に記録するためのセンス可能な遷移パターンであって、非平行なセンス可能な２重遷移の少なくとも２つの繰り返し遷移対のバースト・パターンを含み、前記２重遷移の少なくとも１つが、前記トラックを横断して連続的に水平方向に変化し、前記非平行な２重遷移がサーボ情報を含み、前記センス可能な２重遷移の少なくとも１つが、他の前記センス可能な遷移と異なる幅を有し、前記異なる幅の２重遷移がデータ情報を含む、遷移パターン。
（７１）前記バースト・パターンの繰り返し２重遷移対がインタレースされ、前記遷移対の第１の２重遷移が一緒にグループ化され、前記遷移対の第２の２重遷移が一緒にグループ化される、前記（７０）記載の遷移パターン。
（７２）前記バースト・パターンの繰り返し２重遷移対が、前記遷移対の平行な第１の遷移と、前記遷移対の平行な第２の遷移とを含む、前記（７０）記載の遷移パターン。
（７３）磁束遷移パターン内に記録され、少なくとも１つの水平方向サーボ・トラックを定義する事前記録複合型サーボ及びデータ情報を有する磁気テープ媒体であって、非平行な磁束２重遷移の少なくとも２つの繰り返し遷移対のバースト・パターンを含み、前記２重遷移の少なくとも１つが、前記トラックの幅を横断して連続的に水平方向に変化し、前記非平行な２重遷移対が前記水平方向のトラックを定義するトラック追従サーボ情報を含み、前記繰り返し２重遷移対の少なくとも１つが、他の前記２重遷移と異なる幅を有し、前記異なる幅の遷移がデータ情報を含む、磁気テープ媒体。
（７４）前記磁束２重遷移の一方の遷移が正への遷移であり、前記磁束２重遷移の他方の遷移が負への遷移である、前記（７３）記載の磁気テープ媒体。
（７５）前記バースト・パターンの繰り返し２重遷移対がインタレースされ、前記遷移対の第１の２重遷移が一緒にグループ化され、前記遷移対の第２の２重遷移が一緒にグループ化される、前記（７４）記載の磁気テープ媒体。
（７６）前記バースト・パターンの繰り返し２重遷移対が、前記遷移対の平行な第１の２重遷移と、前記遷移対の平行な第２の２重遷移とを含む、前記（７４）記載の磁気テープ媒体。
（７７）移動記憶媒体上のサーボ・パターン内に重畳されたデータを読出すデータ・システムであって、前記サーボ・パターンが、前記移動記憶媒体に関し垂直方向に延びる非平行なセンス可能なサーボ２重遷移対のバーストを有し、前記重畳データが、他の前記２重遷移と異なる幅を有する選択された前記２重遷移を含むものにおいて、
前記移動記憶媒体に関し、前記水平方向に沿う前記センス可能なサーボ２重遷移をセンスするサーボ・トランスジューサと、
センスされた前記サーボ２重遷移に応答して、非平行なセンス可能な前記２重遷移の前記異なる幅を検出するデータ検出器と、
検出された前記異なる幅の遷移に応答して、前記重畳データを復号する復号器と
を含む、データ・システム。
（７８）センス可能な前記サーボ２重遷移の一方の遷移が正への遷移であり、センス可能な前記サーボ２重遷移の他方の遷移が負への遷移であるものにおいて、
センスされた前記サーボ２重遷移の各々の前記正への遷移または前記負への遷移の一方にのみ応答して、前記サーボ情報を検出するサーボ検出器と、
センスされた前記サーボ２重遷移の前記正への遷移及び前記負への遷移の両方に応答する前記データ検出器と
を含む、前記（７７）記載のデータ・システム。
（７９）前記バースト・パターンの各々内の非平行な遷移の前記異なる遷移幅の対が、データ・セット内の１のビットを表し、前記復号器が前記ビットから前記データ・セットを復号する、前記（７８）記載のデータ・システム。
（８０）前記データ・セットが前記移動記憶媒体上の水平方向の位置を表し、前記復号器が前記ビットから前記水平方向の位置アドレスを復号する、前記（７９）記載のデータ・システム。
（８１）磁気テープ媒体上のサーボ・パターンから、前記磁気テープ媒体上の水平方向の位置を決定する、前記磁気テープ媒体用の複合型サーボ制御システム及び水平方向アドレス指定システムを有する磁気テープ・ドライブであって、前記サーボ・パターンが、前記磁気テープ媒体に関し垂直方向に延びる非平行な磁束サーボ２重遷移対のバーストを有し、選択された前記２重遷移が他の前記２重遷移と異なる幅を有し、前記アドレス情報を符号化するものにおいて、
前記磁気テープ媒体上のデータを読出し及び書込むための磁気読取り／書込みヘッド及び読取り／書込みチャネルと、
前記磁気テープ媒体を前記磁気読取り／書込みヘッドに対して水平方向に移動し、前記磁気テープ媒体上からデータを読出し及び書込むための駆動機構と、
前記駆動機構が前記磁気テープ媒体を水平方向に移動するとき、前記磁気テープ媒体に関し前記水平方向に沿う前記磁束サーボ２重遷移をセンスし、前記磁束サーボ２重遷移を表す信号を提供するサーボ・トランスジューサと、
センスされた前記サーボ２重遷移信号に応答して、前記磁束サーボ２重遷移の幅を検出し、非平行な前記磁束２重遷移の前記異なる幅を識別するデータ検出器と、
検出された前記異なる幅の遷移に応答して、前記位置シフト内に符号化された前記アドレス情報を復号する復号器と
を含む、磁気テープ・ドライブ。
（８２）前記磁束サーボ２重遷移の一方の遷移が正への遷移であり、前記磁束サーボ２重遷移の他方の遷移が負への遷移であるものにおいて、
センスされた前記サーボ２重遷移の各々の前記正への遷移または前記負への遷移の一方にのみ応答して、前記サーボ情報を検出するサーボ検出器と、
センスされた前記サーボ２重遷移の前記正への遷移及び前記負への遷移の両方に応答する前記データ検出器と
を含む、前記（８１）記載の磁気テープ・ドライブ。
（８３）記憶媒体上の非平行なサーボ２重遷移対内にデータ情報を重畳する方法であって、少なくとも１つの書込み素子が前記記憶媒体を横断して連続的に水平方向に変化し、非平行なギャップを有する２つの間隔をあけた書込み素子と、前記記憶媒体を前記書込み素子を横断して水平方向に所定の速度で移動するドライブとを使用するものにおいて、
データ情報を所定の時間遅延に符号化するステップと、
間隔をあけた前記書込み素子に刻時パルスを提供し、前記非平行なギャップに対応するサーボ２重遷移対のパターンを書込むステップと、
前記符号化に従い、前記時間遅延を選択された前記刻時パルスに追加することにより、非平行な前記サーボ２重遷移の少なくとも１つの幅を、他の前記２重遷移とは異なる幅に変更し、異なる幅の前記遷移にデータ情報を含ませるステップと
を含む、方法。
（８４）移動記憶媒体上のサーボ・パターン内に重畳されたデータを読出す方法であって、前記サーボ・パターンが、前記移動記憶媒体に関し垂直方向に延びる非平行なセンス可能なサーボ２重遷移対のバーストを有し、前記重畳データが、他の前記２重遷移とは異なる幅を有する前記２重遷移の選択対を含むものにおいて、
前記移動記憶媒体に関し、前記水平方向に沿う前記センス可能なサーボ２重遷移をセンスするステップと、
センスされた前記サーボ遷移に応答して、前記異なる幅を有する非平行なセンス可能な前記２重遷移を検出するステップと、
検出された前記異なる２重遷移の幅に応答して、前記重畳データを復号するステップと
を含む、方法。
（８５）前記センス可能なサーボ２重遷移の一方の遷移が正への遷移であり、前記センス可能なサーボ２重遷移の他方の遷移が負への遷移であるものにおいて、
センスされた前記サーボ２重遷移の各々の前記正への遷移または前記負への遷移の一方にのみ応答して、前記サーボ情報を検出するサーボ検出ステップと、
センスされた前記サーボ２重遷移の前記正への遷移及び前記負への遷移の両方を検出するステップを含む、前記異なる幅を検出するステップと
を含む、前記（８４）記載の方法。
【図面の簡単な説明】
【図１】本発明の実施例に従うテープ・ドライブ・データ記憶装置及び関連テープ・カートリッジを示す斜視図である。
【図２】図１に示されるテープ・ドライブ及びカートリッジの磁気ヘッド及びサーボ・システムの概略ブロック図である。
【図３】従来の一般的なサーボ・パターンを示す図である。
【図４】本発明の実施例に従う複合型サーボ及び符号化データ・パターンを示す図である。
【図５】本発明の別の実施例に従う符号化データ・パターンを示す図である。
【図６】本発明の更に別の実施例に従う符号化データ・パターンを示す図である。
【図７】本発明に従うデータの符号化／復号のパルス図である。
【図８】本発明の好適な実施例に従う符号化データ・パターンを示す図である。
【図９】代替サーボ・パターン内の図８の符号化データ・パターンを示す図である。
【図１０】本発明に従う別の複合型サーボ及び符号化データ・パターンを使用する符号化データ・パターンを示す図である。
【図１１】本発明に従うデータ復号システムの実施例のブロック図である。
【図１２】図１１のピーク検出チャネルの異なる実施例のブロック図である。
【図１３】図１１のビット検出及び同期ブロック内で使用されるビット検出器のブロック図である。
【図１４】図１３のビット検出器内で使用されるビット検出器状態マシンのブロック図である。
【図１５】図１４のビット検出器状態マシンのフロー図である。
【図１６】図１３のビット検出器内で使用される測長検出器のブロック図である。
【図１７】図１３のビット検出器内で使用されるビット復号器のブロック図である。
【図１８】図１３のビット検出器内で使用されるビット検出器出力制御のブロック図である。
【図１９】図１３のビット検出器内で使用されるフェーズ・ロックド・ループ制御のブロック図である。
【図２０】結合パルス、及び図１９のフェーズ・ロックド・ループ制御におけるサーボ・パターンの図である。
【図２１】結合パルス、及び本発明によるデータ・パターン及びサーボ・パターンの結合内に含まれるアドレス指定データの３２ビット・フォーマットを示す図である。
【図２２】図１１のデータ復号システム内で使用されるフォーマット復号器のブロック図である。
【図２３】図２２のフォーマット復号器の構成要素の詳細ブロック図である。
【図２４】図２２のフォーマット復号器の構成要素の詳細ブロック図である。
【図２５】図２２のフォーマット復号器の構成要素の詳細ブロック図である。
【図２６】図２２のフォーマット復号器の構成要素の詳細ブロック図である。
【図２７】本発明の遷移を書込むことができる従来のマルチ・ギャップ・ヘッドの斜視図である。
【図２８】本発明の遷移を書込む書込み発生器の概略ブロック図である。
【図２９】図２７及び図２８の書込みシステムの全体概略図である。
【図３０】本発明に従うマルチトラック・サーボ及びデータ・システムの概略ブロック図である。
【符号の説明】
１０  サーボ・システム
１２  テープ・ドライブ
１４  テープ・カートリッジ
１６  ホスト・プロセッサ
１８  ケーブル
１９  ハウジング
２０  磁気テープ
２２  受取りスロット
２４  ヘッド・アセンブリ
２６  サーボ読取りヘッド
２７  サーボ・トラック
２８  データ・ヘッド
２９  データ・トラック領域
３０  サーボ・トラック中心線
３４、７３、８４、８６、１１３、１１８、１２１、１２６、１２８、１３０、１３５、２０４、２２２、２２４、２３２、２３４、２５６、２６５、２８５  サーボ信号線
３６  信号復号器
３８  位置信号線
４０  サーボ制御装置
４２  制御線
４４、６７  サーボ・パターン
４６、４８  ストライプまたは"シェブロン"
５０  上方のダイヤモンド
５１  下方のダイヤモンド
６０  上方のダイヤモンドのセット
６１  下方のダイヤモンドのセット
６５  ２重遷移
６６  データ・ピーク
７０  ピーク検出チャネル
７１  サーボ位置誤差信号（ＰＥＳ）生成回路
７５  同期論理回路
７７  フォーマット復号器
７８  インタフェース
８３  ビット検出制御論理回路
８５  ビット検出論理回路
８７  ＰＬＬ制御論理装置
９０  状態マシン組み合わせ論理
９３、９４、１０５、１０７、１０９、１１１、１１２、１１７、１２０、２６４、２６６  レジスタ
９９  インタバル・カウンタ
１０１、１２５、２７１、２７２、２７３  比較器
１０２、１１０  組み合わせ論理回路
１０３、１０５、１０７、１０９  インタバル長レジスタ
１１３、  出力信号線
１１５  ＯＲ回路
１１９、１２２  遅延線
１２７、１２９、５２６  回路
２０１、４３５  シフト・レジスタ
２０２  ビット位置
２０８  データ・バイト・レジスタ
２１０  アドレス指定及び制御論理回路
２１２  シャドー・バイト・レジスタ
２３０  位置比較論理回路
２４０  ダイヤモンド・カウンタ
２５０  順方向側
２５１  逆方向側
２６０  アドレス・レジスタ
４０２  ヘッド
４１４  ギャップ
４３２  制御装置
４３３  符号器
５０４  テープ
５１６  パターン・ジェネレータ
５１８  パルス・ジェネレータ
５２０、５２２  リール
５２４  読取りヘッド
５２８  パターン・ベリファイア
【図１】
0003996266.tif 000002
【図２】
0003996266.tif 000003
【図３】
0003996266.tif 000004
【図４】
0003996266.tif 000005
【図５】
0003996266.tif 000006
【図６】
0003996266.tif 000007
【図７】
0003996266.tif 000008
【図８】
0003996266.tif 000009
【図９】
0003996266.tif 000010
【図１０】
0003996266.tif 000011
【図１１】
0003996266.tif 000012
【図１２】
0003996266.tif 000013
【図１３】
0003996266.tif 000014
【図１４】
0003996266.tif 000015
【図１５】
0003996266.tif 000016
【図１６】
0003996266.tif 000017
【図１７】
0003996266.tif 000018
【図１８】
0003996266.tif 000019
【図１９】
0003996266.tif 000020
【図２０】
0003996266.tif 000021
【図２１】
0003996266.tif 000022
【図２２】
0003996266.tif 000023
【図２３】
0003996266.tif 000024
【図２４】
0003996266.tif 000025
【図２５】
0003996266.tif 000026
【図２６】
0003996266.tif 000027
【図２７】
0003996266.tif 000028
【図２８】
0003996266.tif 000029
【図２９】
0003996266.tif 000030
【図３０】
0003996266.tif 000031